(57)【要約】【課題】貸出用記録媒体処理装置内部の貯留部に貸出用記録媒体が貯留されていない場合でも、貨幣を受け付けてその有価価値に値する遊技媒体を貸し出すことができ、かつ、遊技ホール経営者が貸出用記録媒体を使用したシステムの利用を継続できる貸出用記録媒体処理装置及び遊技媒体貸出管理システムを提供する。【解決手段】貸出用記録媒体処理装置を、貨幣処理部に貨幣が投入されて貸出用記録媒体処理部で貸出用記録媒体を発行する場合は、該貸出用記録媒体に付与されている識別情報を前記発行情報に含めて前記発行情報送信部で送信する構成とし、貨幣処理部に貨幣が投入されたが貸出用記録媒体処理部に発行可能な貸出用記録媒体がなかった場合は、前記識別情報の代わりに代用情報を代用情報付与部が定め、該代用情報を前記発行情報に含めて発行情報送信部で送信する構成とした。【選択図】図９
2011045774.tif 000002
【特許請求の範囲】
【請求項１】
投入された貨幣を処理する貨幣処理部と、
該貨幣に対応する有価価値を付与した貸出用記録媒体を発行する貸出用記録媒体処理部と、
該貸出用記録媒体処理部で処理する貸出用記録媒体の有価価値に基づいて遊技媒体を貸し出す遊技媒体貸出部と、
前記貸出用記録媒体に付与された識別情報および貸出用記録媒体の発行に関する発行情報を管理装置へ送信する発行情報送信部とを備えた貸出用記録媒体処理装置であって、
前記識別情報に代わる固有の代用識別情報を作成し、該代用識別情報を代用情報として付与する代用情報付与部をさらに備え、
前記貨幣処理部に貨幣が投入されて前記貸出用記録媒体処理部で貸出用記録媒体を発行する場合は、
該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、
前記貨幣処理部に貨幣が投入されたが前記貸出用記録媒体処理部に発行可能な貸出用記録媒体がなかった場合は、
前記代用情報付与部が付与した前記代用情報を前記発行情報送信部から管理装置へ送信し、投入された貨幣に基づく遊技媒体の貸出を許容する構成としたことを特徴とする
貸出用記録媒体処理装置。
【請求項２】
前記代用識別情報は、前記貨幣が前記貨幣処理部に投入される毎に変更して作成する自動生成番号であることを特徴とする
請求項１記載の貸出用記録媒体処理装置。
【請求項３】
投入された貨幣の有価価値に基づいて前記代用情報を送信して遊技媒体を貸し出した場合に、貸し出した遊技媒体の有価価値を減算して残りの有価価値があれば残有価価値を記憶部に記憶する構成とし、
該残有価価値の返却が返却操作部にて指示された場合に、前記貸出用記録媒体処理装置の内部に貸出用記録媒体が貯留されていると検知部で検知できれば、前記残有価価値を前記貸出用記録媒体処理部で貸出用記録媒体に書き込み、該貸出用記録媒体を返却する構成とした
請求項１又は２記載の貸出用記録媒体処理装置。
【請求項４】
前記貸出用記録媒体処理部で残有価価値に対応する有価価値を貸出用記録媒体に書き込んだ場合に、該貸出用記録媒体に付与されている識別情報と前記代用情報とを含めた前記発行情報を前記発行情報送信部で管理装置へ送信する構成とした
請求項３記載の貸出用記録媒体処理装置。
【請求項５】
前記代用情報を送信して遊技媒体を貸し出した場合に、貸出用記録媒体の貯留が必要であることを報知部で報知する構成とした
請求項１から４のいずれか１つに記載の貸出用記録媒体処理装置。
【請求項６】
前記貸出用記録媒体処理部に発行可能な貸出用記録媒体がない場合は、前記貨幣処理部へ投入許容する金額を制限する構成とし、
投入許容する金額を表示する表示手段を備えた
請求項１から５のいずれか１つに記載の貸出用記録媒体処理装置。
【請求項７】
投入された貨幣を処理する貨幣処理部と、該貨幣に対応する有価価値の貸出用記録媒体を発行する貸出用記録媒体処理部と、該貸出用記録媒体処理部で処理する貸出用記録媒体の有価価値に基づいて遊技媒体を貸し出す遊技媒体貸出部と、前記貸出用記録媒体に付与された識別情報および貸出用記録媒体の発行に関する発行情報を送信する発行情報送信部とを備えた貸出用記録媒体処理装置と、
前記発行情報を受信して前記遊技媒体の貸し出しを管理する管理装置とで構成した遊技媒体貸出管理システムであって、
前記識別情報に代わる固有の代用識別情報を作成し、該代用識別情報を代用情報として付与する代用情報付与部をさらに備え、
前記貨幣処理部に貨幣が投入されて前記貸出用記録媒体処理部で貸出用記録媒体を発行する場合は、
該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、
前記貨幣処理部に貨幣が投入されたが前記貸出用記録媒体処理部に発行可能な貸出用記録媒体がなかった場合は、
前記代用情報付与部が付与した前記代用情報を前記発行情報送信部から管理装置へ送信し、投入された貨幣に基づく遊技媒体の貸出を許容する構成としたことを特徴とする
遊技媒体貸出管理システム。
【請求項８】
前記管理装置は、
前記貸出用記録媒体の識別情報と有価価値とを関連付けて記憶し、
前記代用情報を受信した場合にホストコンピュータへ該代用情報を送信する構成とした
請求項７記載の遊技媒体貸出管理システム。
【発明の詳細な説明】
【技術分野】
【０００１】
この発明は、例えばパチンコ機やパチスロ機といった遊技機を備えた遊技ホールで貸出用記録媒体を処理するような貸出用記録媒体処理装置、及び遊技媒体を管理するような貸出用記録媒体管理システムに関する。
【背景技術】
【０００２】
従来、多くの遊技ホール（所謂、遊技場）では、遊技者が遊技ホールで投入・使用した金額が明確に管理できるようにする為に、貸出用記録媒体を使用したシステムを導入している（特許文献１参照）。
【０００３】
このシステムでは、貸出用記録媒体処理装置が、貸出用記録媒体を受け付け、その受け付けた貸出用記録媒体の記録情報を読み取り、読み取った有価価値の分だけ遊技者に遊技媒体を貸し出す処理を実行する。
【０００４】
また貸出用記録媒体データベースを有するデータ管理装置を備え、前記貸出用記録媒体の特定情報（ユニークなＩＤ）とその有価価値情報とを対応付けて貸出用記録媒体データベースに登録し、各貸出用記録媒体の有価価値情報を管理する。
【０００５】
また、前記貸出用記録媒体処理装置は貨幣を受け付け、その受け付けた金額を読み取るとともに、その読み取った有価価値に値する貸出用記録媒体を発行し、前記貸出用記録媒体の有価価値情報から特定される有価価値分、遊技者に遊技媒体を貸し出す処理も行なう。
【０００６】
このようなシステムの実現のためには、前記貸出用記録媒体処理装置が貨幣を受け付ける際に、装置内部の貯留部に予め発行用の貸出用記録媒体が貯留されている必要がある。
【０００７】
しかし、遊技客の利用状態や遊技ホールの店員の貯留し忘れなどにより、貯留部に貸出用記録媒体が貯留されていない状態となると、貸出用記録媒体を発行することができないため、貨幣を受け付けることができなくなる。
【０００８】
一方、貸出用記録媒体処理装置は、遊技機と遊技機の間に設置されるという性質上装置の大きさが限定されるので、装置内部の貯留部に貸出用記録媒体を貯留できる貯留数には限界がある。
【０００９】
よって、装置内部の貯留部に貸出用記録媒体が貯留されていない場合が発生し、このような場合には貸出用記録媒体を発行することができず、遊技できる台が限定されてしまう問題が発生する。
【００１０】
【特許文献１】特開２００２−２１０２０７号公報
【発明の開示】
【発明が解決しようとする課題】
【００１１】
本発明は、上述の問題に鑑み、貸出用記録媒体処理装置内部の貯留部に貸出用記録媒体が貯留されていない場合でも、貨幣を受け付けてその有価価値に値する遊技媒体を貸し出すことができ、また、ホール経営者が貸出用記録媒体を使用したシステムの利用を継続できる貸出用記録媒体処理装置及び遊技媒体貸出管理システムを提供し、遊技者とホール経営者の満足度を向上させることを目的とする。
【課題を解決するための手段】
【００１２】
この発明は、投入された貨幣を処理する貨幣処理部と、該貨幣に対応する有価価値を付与した貸出用記録媒体を発行する貸出用記録媒体処理部と、該貸出用記録媒体処理部で処理する貸出用記録媒体の有価価値に基づいて遊技媒体を貸し出す遊技媒体貸出部と、前記貸出用記録媒体に付与された識別情報および貸出用記録媒体の発行に関する発行情報を管理装置へ送信する発行情報送信部とを備えた貸出用記録媒体処理装置であって、前記識別情報に代わる固有の代用識別情報を作成し、該代用識別情報を代用情報として付与する代用情報付与部をさらに備え、前記貨幣処理部に貨幣が投入されて前記貸出用記録媒体処理部で貸出用記録媒体を発行する場合は、該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、前記貨幣処理部に貨幣が投入されたが前記貸出用記録媒体処理部に発行可能な貸出用記録媒体がなかった場合は、前記代用情報付与部が付与した前記代用情報を前記発行情報送信部から管理装置へ送信し、投入された貨幣に基づく遊技媒体の貸出を許容する構成とした貸出用記録媒体処理装置であることを特徴とする。
【００１３】
前記遊技媒体は、円盤形状の媒体や球形状の媒体等、遊技に使用する媒体で構成することができる。  
前記貸出用記録媒体は、無線通信手段と記憶手段とを備えた円盤形状や長方形で板状の非接触ＩＣ媒体、記憶手段と接触端子とを備えた接触ＩＣ媒体、又は磁気記憶手段を備えた磁気媒体等、有価価値（価値情報）を記憶可能な媒体で構成することができる。
【００１４】
前記有価価値は、発行金額、発行度数、又は遊技媒体数等、価値に関する情報で構成することができる。  
前記発行情報は、発行した貸出用記録媒体のシリアルナンバー等の識別情報、貸出可能な遊技媒体の数量を示す貸出可能度数、発行日時、発行を行った貸出用記録媒体処理装置の台番号又はシリアルナンバー、又は、これらの複数で構成することができる。
【００１５】
前記代用情報は、別途作成して付与する固有の番号である代用識別情報で構成することができる。  
前記代用識別情報は、ランダムな文字列、適宜定めた規則によって順番に割り与える番号、日付や貸出用記録媒体処理装置に関連して作成するＩＤ、又は、これらに暗号化やチェックサムの付与等の適宜の処理を施した情報等、固有の情報で構成することができる。
【００１６】
前記構成により、貸出用記録媒体処理装置で発行用の貸出用記録媒体が切れていた場合でも、利用者は貨幣の投入によって遊技媒体を借りることができ、遊技者に貸出用記録媒体の貯留を待たせる必要がなく、遊技者にとっての利便性が向上する。
【００１７】
このとき、識別情報の代わりとなる代用情報を定めてこれを管理装置へ送信するため、データセンタにて遊技媒体の貸し出しを適切に管理することが可能となる。
【００１８】
また、遊技ホールの店員にとっては、遊技者に貸出用記録媒体切れで呼び出されて慌てて貯留する必要がなくなり、トラブルを回避できると共に、待ち時間の削減による遊技機の回転率の向上を図ることができる。
【００１９】
さらに、固有の代用識別情報を作成するので、貸出用記録媒体を使用せずに遊技媒体の貸し出しを行った場合でも、遊技者が遊技ホールで投入・使用した金額を明確に把握できる。またこれと共に、貸出用記録媒体を使用した場合と同様のセキュリティレベルを保ち、遊技ホールの店員による不正を防止することができる。  
また、遊技媒体の貸し出しに関する情報を確実にデータセンタへ送信でき、遊技ホールの経営をクリアにすることができる。  
またこの代用識別情報は、前記貨幣が前記貨幣処理部に投入される毎に変更して作成する自動生成番号とすることができる。
【００２０】
またこの発明の態様として、投入された貨幣の有価価値に基づいて前記代用情報を送信して遊技媒体を貸し出した場合に、貸し出した遊技媒体の有価価値を減算して残りの有価価値があれば残有価価値を記憶部に記憶する構成とし、該残有価価値の返却が返却操作部にて指示された場合に、前記貸出用記録媒体処理装置の内部に貸出用記録媒体が貯留されていると検知部で検知できれば、前記残有価価値を前記貸出用記録媒体処理部で貸出用記録媒体に書き込み、該貸出用記録媒体を返却する構成とすることができる。
【００２１】
前記記憶部は、貸出用記録媒体処理装置に備えたメモリやハードディスクといった記憶部、あるいは、貸出用記録媒体処理装置と通信可能な管理装置等に備えているメモリやハードディスクといった記憶部等、適宜の記憶部で構成することができる。
【００２２】
前記構成により、一旦貨幣を受け付けて直接遊技媒体を貸し出しておき、これによる遊技中に遊技ホールの店員が貸出用記録媒体を貯留することが可能となる。  
遊技者は、貨幣にて遊技媒体を借りて遊技し、残有価価値の返却を受ける際に、貸出用記録媒体で受け取ることができる。
【００２３】
またこの発明の態様として、前記貸出用記録媒体処理部で残有価価値に対応する有価価値を貸出用記録媒体に書き込んだ場合に、該貸出用記録媒体に付与されている識別情報と前記代用情報とを含めた前記発行情報を前記発行情報送信部で管理装置へ送信する構成とすることができる。
【００２４】
これにより、発行情報を受信した管理装置あるいはデータセンタにて、投入された貨幣と、貸出用記録媒体を使用せずに貸し出した遊技媒体の量と、残有価価値を記録して発行（返却）した貸出用記録媒体との整合をとることができる。
【００２５】
またこの発明の態様として、前記代用情報を送信して遊技媒体を貸し出した場合に、貸出用記録媒体の貯留が必要であることを報知部で報知する構成とすることができる。
【００２６】
前記報知部は、貸出用記録媒体処理装置に備えたランプや液晶等の表示装置、スピーカ等の音声装置、又は管理装置等の他の装置へ報知信号を送信する通信部等、報知を行う適宜の手段で構成することができる。
【００２７】
前記構成により、遊技ホールの係員は貸出用記録媒体の貯留が必要であることを、遊技者を介さずに知ることができ、スムーズに貸出用記録媒体の貯留を行うことができる。
【００２８】
またこの発明の態様として、前記貸出用記録媒体処理部に発行可能な貸出用記録媒体がない場合は、前記貨幣処理部へ投入許容する金額を制限する構成とし、
投入許容する金額を表示する表示手段を備えることができる。
【００２９】
貨幣処理部へ投入許容する金額の制限は、５００円又は１０００円といったように投入許容する金種を制限することができる。
【００３０】
前記構成により、貸出用記録媒体を使用しないで貨幣から多量に遊技媒体を貸し出すことを防止できる。  
遊技媒体の貸出単位（例えば５００円等）と貨幣処理部へ投入許容する金額とを一致させるように制限した場合には、貨幣から直接遊技媒体を貸し出した後に、残有価価値の返却を行う必要がなく、貸出用記録媒体が切れて残有価価値の返却ができないといった事態を防止できる。
【００３１】
またこの発明は、投入された貨幣を処理する貨幣処理部と、該貨幣に対応する有価価値の貸出用記録媒体を発行する貸出用記録媒体処理部と、上記貸出用記録媒体処理部で処理する貸出用記録媒体の有価価値に基づいて遊技媒体を貸し出す遊技媒体貸出部と、前記貸出用記録媒体に付与された識別情報および貸出用記録媒体の発行に関する発行情報を送信する発行情報送信部とを備えた貸出用記録媒体処理装置と、前記発行情報を受信して前記遊技媒体の貸し出しを管理する管理装置とで構成した遊技媒体貸出管理システムであって、前記識別情報に代わる固有の代用識別情報を作成し、該代用識別情報を代用情報として付与する代用情報付与部をさらに備え、前記貨幣処理部に貨幣が投入されて前記貸出用記録媒体処理部で貸出用記録媒体を発行する場合は、該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、前記貨幣処理部に貨幣が投入されたが前記貸出用記録媒体処理部に発行可能な貸出用記録媒体がなかった場合は、前記代用情報付与部が付与した前記代用情報を前記発行情報送信部から管理装置へ送信し、投入された貨幣に基づく遊技媒体の貸出を許容する構成とした遊技媒体貸出管理システムとすることができる。
【００３２】
これにより、発行情報を管理装置で管理することができ、該管理装置と接続しているデータセンタにて、遊技媒体の貸し出しを適切に管理することが可能となる。
【００３３】
またこの発明の態様として、前記管理装置は、前記貸出用記録媒体の識別情報と有価価値とを関連付けて記憶し、前記代用情報を受信した場合にホストコンピュータへ該代用情報を送信する構成とすることができる。
【００３４】
これにより、ホストコンピュータを設置しているデータセンタでは、貸出用記録媒体の管理だけでなく、貨幣から直接貸し出した遊技媒体の管理も確実に行うことができる。
【発明の効果】
【００３５】
この発明により、貸出用記録媒体処理装置内部の貯留部に貸出用記録媒体が貯留されていない場合でも、貨幣を受け付けてその有価価値に値する遊技媒体を貸し出すことができる。
【発明を実施するための最良の形態】
【００３６】
この発明の一実施形態を以下図面と共に説明する。  
【実施例１】
【００３７】
まず、図１に示すシステム構成図と共に、パチンコホールなどの遊技娯楽施設（以下、遊技ホール）に構築される遊技媒体貸出管理システム１のシステム構成について説明する。
【００３８】
遊技媒体貸出管理システム１には、精算機６、データ管理装置７、販売機５、貸出用記録媒体処理装置１１、遊技機１２（パチンコ機１２ａ、パチスロ機１２ｂ）を、通信を中継するハブ（図示省略）を介して通信可能に接続して備えている。またデータ管理装置７には、遠隔地のホストコンピュータ８を通信可能に接続している。
【００３９】
精算機６は、内蔵している記憶部に貸出用記録媒体精算プログラムを格納しており、遊技に使用されず残った貸出用記録媒体２０や、一部遊技に利用して減額されて返却した貸出用記録媒体２０が遊技者によって投入され、該投入された貸出用記録媒体２０を精算する。
【００４０】
データ管理装置７は、内蔵している記憶部に貸出用記録媒体管理プログラム及びマスターデータベースを格納しており、マスターデータベースによって貸出用記録媒体２０の発行状況と使用状況を記憶し、一括管理している。
【００４１】
ホストコンピュータ８は、遠隔地の第三者管理センターに備えており、例えばデータ管理装置７から貸出用記録媒体２０の発行処理情報などを収集するといった処理を実行する。
【００４２】
販売機５は、内蔵している記憶部に貸出用記録媒体処理プログラムを格納しており、貨幣投入による貸出用記録媒体２０の発行を実行する。
【００４３】
貸出用記録媒体処理装置１１は、貸出用記録媒体２０を処理する装置であり、内蔵している記憶部に貸出用記録媒体処理プログラムを格納しており、貨幣投入による貸出用記録媒体２０の発行、貸出用記録媒体２０投入による遊技媒体の払い出し、貸出用記録媒体２０切れの場合の貨幣投入による遊技媒体の払い出しを実行する。
【００４４】
遊技機１２は、パチンコ機又はパチスロ機等の遊技用の装置であり、投入された遊技媒体に基づいてパチンコゲーム又はパチスロゲームといった遊技を許容し、遊技に応じて遊技媒体を払い出す。
【００４５】
以上の構成により、データ管理装置７にて貸出用記録媒体２０の発行状況と使用状況を記憶し管理することができ、貸出用記録媒体２０の発行処理情報などをホストコンピュータ８へ送信することができる。
【００４６】
次に、図２に示す正面図、及び図３に示す部分拡大正面図と共に、前記貸出用記録媒体処理装置１１の外観構成について説明する。ここでは、貸出用記録媒体２０として貸出用記録媒体２０を使用する場合について説明する。
【００４７】
貸出用記録媒体処理装置１１は、正面上方に利用者の操作等を許容する操作盤１１ａを備え、正面下方に遊技媒体を払い出す遊技媒体払出口１１ｂを備えている。
【００４８】
操作盤１１ａには、図３に示すように、左半分上から順に状態表示ランプ１１ｃ、貸出用記録媒体投入口１１ｄ、紙幣投入口１１ｅ、貸出用記録媒体返却口１１ｆ、及びガイド１１ｇを備えている。
【００４９】
また、右半分には、上から順に遊技媒体を貸出可能な貸出可能度数表示器１１ｉ、返却ボタン１１ｊ、貸出ボタン１１ｋ、及び、投入可能金額表示部１１ｍを備えている。
【００５０】
状態表示ランプ１１ｃは、貸出用記録媒体処理装置１１の状態を報知するランプである。  
貸出用記録媒体投入口１１ｄは、貸出用記録媒体２０の投入を受け付ける投入口であり、内部に備えた内部処理機構（図４と共に後述）に繋がっている。
【００５１】
紙幣投入口１１ｅは、紙幣の投入を受け付ける投入口であり、内部に備えた貨幣処理部（図示省略）に繋がっている。  
貸出用記録媒体返却口１１ｆは、貸出用記録媒体２０の返却を行う返却口であり、内部に備えた内部処理機構（図４と共に後述）に繋がっている。
【００５２】
ガイド１１ｇは、貸出用記録媒体２０が落ちないように保持するガイドである。  
貸出可能度数表示器１１ｉは、貸出可能度数を表示するデジタル表示器である。  
返却ボタン１１ｊは、遊技者による返却指示を受け付けるボタンスイッチである。
【００５３】
貸出ボタン１１ｋは、遊技者による遊技媒体の貸出指示を受け付けるボタンスイッチである。  
投入可能金額表示部１１ｍは、投入可能な金額を表示するデジタル表示器である。
【００５４】
以上の構成により、投入可能金額表示部１１ｍで表示している金額内の紙幣が紙幣投入口１１ｅから投入されると、該紙幣の金額に対応する有価価値を記録した貸出用記録媒体２０を内部で発行することができる。
【００５５】
この発行が行われるか、貸出用記録媒体投入口１１ｄに貸出用記録媒体２０が投入されると、貸出可能度数表示器１１ｉに遊技媒体を貸し出し可能な度数を表示することができる。
【００５６】
貸出ボタン１１ｋが押下されると、上記度数の範囲内で貸し出し単位に相当する遊技媒体を、遊技媒体払出口１１ｂから払い出す、あるいは遊技機１２へ払出し命令をして遊技機１２より払い出すことができる。
【００５７】
返却ボタン１１ｊが押下された場合には、残度数を書き込んだ貸出用記録媒体２０を、貸出用記録媒体返却口１１ｆから返却することができる。  
また、状態表示ランプ１１ｃにより、貸出用記録媒体２０切れ等、貸出用記録媒体処理装置１１の状態を報知することができる。
【００５８】
次に、図４に示す左側面断面図（図３のＡＡ断面から見た図）と共に、前記貸出用記録媒体処理装置１１の上部に備えたケーシング１１０の内部処理機構について説明する。なお、ケーシング１１０の正面（図示右側）は、図３に示した操作盤１１ａである。
【００５９】
ケーシング１１０の下方位置には、回転軸１１６ｂを中心に正逆回転するロータ１１６を備えている。該ロータ１１６は、ケーシング１１０内に回転軸１１６ｂにて軸支されており、適宜のギアを介して連結した駆動手段（モータ等）により正逆回転される。
【００６０】
ロータ１１６は、円板の外周面上の１箇所の位置にＵ字型に凹部を備えた形状に形成しており、この凹部が貸出用記録媒体２０を保持するホルダ１１６ａとして機能する。
【００６１】
ロータ１１６の外周の外側には、ロータ１１６がホルダ１１６ａにて貸出用記録媒体２０を保持した状態で回転できるように、円弧状の回転空間１１４を備えている。
【００６２】
ロータ１１６の図示右上方向には、回転空間１１４から貸出用記録媒体投入口１１ｄに連通する投入通路１１７を備えている。これにより、貸出用記録媒体投入口１１ｄから投入された貸出用記録媒体２０を、ロータ１１６へ誘導し、ロータ１１６のホルダ１１６ａで保持することができる。
【００６３】
ロータ１１６の図示左上方向には、回転空間１１４からケーシング１１０の上面に備えた開口部１１１に連通する貯留通路１１３を備えている。これにより、発行可能な貸出用記録媒体２０を貯留通路１１３に貯留しておき、必要に応じて、ロータ１１６を回転させて貯留通路１１３の最下位の貸出用記録媒体２０をホルダ１１６ａで保持し、発行することができる。
【００６４】
また、貸出用記録媒体投入口１１ｄから投入された貸出用記録媒体２０が使い切られた場合には、ロータ１１６を回転させてホルダ１１６ａで保持する貸出用記録媒体２０を貯留通路１１３へ移動させることができる。
【００６５】
このとき、既に貯留通路１１３に貯留されている貸出用記録媒体２０があれば、この貯留されている貸出用記録媒体２０を押し上げる。貸出用記録媒体２０が溢れる場合には、開口部１１１から上方へ押し上げられた貸出用記録媒体２０が、ケーシング１１０の外部へ放り出されることとなる。
【００６６】
また、貯留通路１１３に貸出用記録媒体２０を貯留する場合には、遊技ホールの店員が特定のボタンを操作して貸出用記録媒体投入口１１ｄから貸出用記録媒体２０を投入することができる。
【００６７】
貯留通路１１３と回転空間１１４の連通部近傍には、貯留有無検知手段として機能するセンサ１１５を備えている。これにより、貯留状態の貸出用記録媒体２０が１枚以上存在しているか否か検知できる。
【００６８】
ロータ１１６の図示右下方向には、回転空間１１４から貸出用記録媒体返却口１１ｆに連通する返却通路１１９を備えている。これにより、貸出用記録媒体２０に残有価価値がある状態で返却ボタン１１ｊ（図３）が押下された場合に、ロータ１１６を回転させてホルダ１１６ａで保持する貸出用記録媒体２０を返却通路１１９に移動させ、該返却通路１１９から貸出用記録媒体返却口１１ｆへ返却することができる。
【００６９】
なお、貯留通路１１３、回転空間１１４、投入通路１１７、及び返却通路１１９は、いずれも貸出用記録媒体２０の厚みより少し大きい程度の厚みに形成しており、貸出用記録媒体２０が厚み方向に複数重なることがないようにしている。
【００７０】
以上の構成により、貸出用記録媒体処理装置１１は、貸出用記録媒体２０の投入の受け付け、貸出用記録媒体２０の貯留、貯留されている貸出用記録媒体２０の発行、及び貸出用記録媒体２０の返却を行うことができる。
【００７１】
また、貸出用記録媒体２０として円盤形状のものではなく、長方形の板状のものを使用する場合は、適宜の構成により、貸出用記録媒体２０の投入の受け付け、貸出用記録媒体２０の貯留、貯留されている貸出用記録媒体２０の発行、及び貸出用記録媒体２０の返却を行う構成とすれば良い。
【００７２】
次に、図５に示すブロック図と共に、貸出用記録媒体２０の内部に備えているＩＣモジュールの構成について説明する。  
貸出用記録媒体２０のＩＣモジュールは、ＣＰＵ２１、ＲＯＭ２２、ＲＡＭ２３、ＥＥＰＲＯＭ２４、変復調器２５、電源回路２６、及びアンテナ２７で構成している。
【００７３】
ＣＰＵ２１は、ＲＯＭ２２に格納されたプログラムによって各回路装置を駆動制御する。  
ＲＯＭ２２は、不揮発性でデータの書込みが不可能であり、駆動制御に必要なプログラムを記録する。
【００７４】
ＲＡＭ２３は、揮発性でデータの消去、再書込みが可能であり、動作に必要なデータを記録する。  
ＥＥＰＲＯＭ２４は、不揮発性でデータの消去、再書込みが可能であり、後述する貸出用記録媒体データを格納している。
【００７５】
変復調器２５は、前記アンテナ２７と共に通信手段を構成し、販売機５、精算機６、貸出用記録媒体処理装置１１に備えたそれぞれの貸出用記録媒体処理装置１１の内部処理機構と非接触状態でデータの送受信を実行する。  
電源回路２６は、アンテナ２７に信号を受信した時の起電力により電力を発生し、各回路に供給する。
【００７６】
以上の構成により、貸出用記録媒体２０に対してデータの記録と読出しができる。データの読書きは非接触で可能であるため、例えば磁気カードのように磁気ヘッドまで搬送するといった必要がなく、搬送時間を削減して高速処理を行うことができ、素早い読み込み、書き出しが可能となる。
【００７７】
次に、図６に示すデータ説明図と共に、各貸出用記録媒体２０に格納する貸出用記録媒体データについて説明する。なお、ここでは貸出用記録媒体２０のＥＥＰＲＯＭ２４に格納する貸出用記録媒体データの例で説明する。
【００７８】
貸出用記録媒体データは、シリアルＮｏ．、ホールＮｏ．、遊技媒体貸出し可能度数、発行日付、島Ｎｏ．、貸出用記録媒体処理装置Ｎｏ．、及びＳＵＭの項目で構成する。
【００７９】
シリアルＮｏ．は、貸出用記録媒体２０に固有の情報として付与したユニークな番号を格納する。  
ホールＮｏ．は、遊技ホール毎に付けた番号を格納する。
【００８０】
遊技媒体貸出し可能度数は、遊技媒体の貸出し可能な度数である。  
発行日付は、貸出用記録媒体２０を発行した当日の日付データを格納する。
【００８１】
島Ｎｏ．は、貸出用記録媒体２０を発行した貸出用記録媒体処理装置１１の所属する中継機（図示省略）の番号を格納する。なお、販売機５で発行された貸出用記録媒体２０の場合は、販売機５の所属する中継機（図示省略）の番号を格納する。
【００８２】
貸出用記録媒体処理装置Ｎｏ．は、貸出用記録媒体２０を発行した貸出用記録媒体処理装置１１の番号を格納する。  
ＳＵＭは、データの正誤をチェックするデータチェックサムで構成する。
【００８３】
以上の構成により、貸出用記録媒体２０の管理に必要なデータを、貸出用記録媒体２０内に格納しておくことができる。
【００８４】
次に、図７〜図１０に示す処理フロー図と共に、貸出用記録媒体処理装置１１が貸出用記録媒体管理プログラムに基づいて実行する動作について説明する。
【００８５】
この動作では、従来の貸出用記録媒体２０を使用したシステムであれば、貸出用記録媒体処理装置１１内部の貯留部（例えば貯留通路１１３）に予め発行用の貸出用記録媒体２０が貯留されている必要があったところ、貨幣を受け付ける際に遊技者の利用状態や遊技ホールの店員の貯留し忘れなどにより貯留部に貸出用記録媒体２０が貯留されていない場合でも、貸出用記録媒体２０を仮発行できるようにしている。
【００８６】
貸出用記録媒体処理装置１１は、遊技者によって貸出用記録媒体処理装置１１に投入された貨幣（例えば紙幣）を検知するまで待機する（ステップｎ１）。  
貨幣を検知すると、貯留部に貸出用記録媒体２０が貯留されているかを確認する（ステップｎ２）。
【００８７】
貯留部に貸出用記録媒体２０が貯留されている場合は（ステップｎ２：Ｙｅｓ）、貸出用記録媒体２０に遊技媒体貸出し可能度数等（図６）の発行処理情報を書き込んで発行し（ステップｎ３）、貸出可能度数表示器１１ｉで遊技媒体貸出し可能度数を表示する（ステップｎ４）。
【００８８】
このとき、図１１の（Ｇ）のデータ説明図に示すように、貸出用記録媒体２０を発行したことを示す発行処理情報を、貸出用記録媒体処理装置１１の通信部がデータ管理装置７に送信する（ステップｎ５）。
【００８９】
この発行処理情報は、データ項目としてシリアルＮｏ．、仮発行処理用番号、処理コード、残遊技媒体貸し出し可能度数（金額）、処理日付、貸出用記録媒体処理装置Ｎｏ．．、及びＳＵＭを備えている。
【００９０】
発行処理情報は、前述した貸出用記録媒体データ（図６）と同様のデータ項目を一部に含んでおり、異なるデータ項目は次のとおりである。
【００９１】
仮発行処理用番号は、貸出用記録媒体２０を発行せずに貨幣を受け付けて遊技媒体を払い出す場合に使用する項目であり、貯留部に貸出用記録媒体２０が存在する場合には使用しない。
【００９２】
処理コードは、発行、貸出、又は返却といった処理のコードを格納する。  
処理日付は、発行、貸出、又は返却といった処理を実行した日付を格納する。
【００９３】
ステップｎ５の段階では、データ処理としては貸出用記録媒体２０を発行しているが、物理的には、貸出用記録媒体２０の例で図４に図示したように、貸出用記録媒体２０を保持した状態で待機しており、貸出用記録媒体２０の払い出しを行わない。  
これにより、発行した貸出用記録媒体２０を遊技者がすぐに貸出用記録媒体投入口１１ｄへ投入したのと同様の状態にしている。
【００９４】
データ管理装置７では、図１０の（Ａ）の処理フロー図に示すように、貸出用記録媒体処理装置１１から貸出用記録媒体２０を発行したことを受信すると（ステップｐ１：Ｙｅｓ）、貸出用記録媒体処理装置１１からの発行処理情報をデータベースに反映する（ステップｐ２）。
【００９５】
前記ステップｎ５の次は、図８の処理フロー図に示すように、遊技者によって貸出用記録媒体処理装置１１の貸出ボタン１１ｋが押下されるか（ステップｎ６）、返却ボタン１１ｊが押下されるまで（ステップｎ１３）待機する。
【００９６】
遊技者によって貸出用記録媒体処理装置１１の貸出ボタン１１ｋが押下された場合は（ステップｎ６：Ｙｅｓ）、貸出用記録媒体２０に残遊技媒体貸出し可能度数等を書き込む（ステップｎ７）。
【００９７】
貸出用記録媒体処理装置１１は、予め決められた貸し出し単位に対応する数の遊技媒体を払い出し（ステップｎ８）、貸出可能度数表示器１１ｉに残遊技媒体貸出し可能度数を表示する（ステップｎ９）。
【００９８】
貸出用記録媒体処理装置１１は、遊技媒体を払い出したことを示す遊技媒体払出情報をデータ管理装置７に送信する（ステップｎ１０）。このとき送信する遊技媒体払出情報は、図１１の（Ｇ）に示した発行処理情報と同一である。
【００９９】
データ管理装置７では、図１０の（Ｂ）の処理フロー図に示すように、貸出用記録媒体処理装置１１から遊技媒体を払い出したことを受信すると（ステップｑ１：Ｙｅｓ）、貸出用記録媒体処理装置１１からの遊技媒体払出情報をデータベースに反映（更新）する（ステップｑ２）。
【０１００】
図８のステップｎ１０の次に、貸出用記録媒体処理装置１１は、残遊技媒体貸出し可能度数があるかどうかを確認し（ステップｎ１１）、残遊技媒体貸出し可能度数（価値）があれば（ステップｎ１１：Ｙｅｓ）、ステップｎ６にリターンする。
【０１０１】
貸出用記録媒体２０に残遊技媒体貸出し可能度数（価値）がなければ（ステップｎ１１：Ｎｏ）貸出用記録媒体２０を貯留部に回収し（ステップｎ１２）、処理を終了する。
【０１０２】
前記ステップｎ６で、遊技者の操作によって貸出ボタン１１ｋが押下されずに（ステップｎ６：Ｎｏ）、返却ボタンが押された場合（ステップｎ１３：Ｙｅｓ）は、貸出用記録媒体処理装置１１は貸出用記録媒体２０を遊技者に返却する（ステップｎ１４）。
【０１０３】
貸出用記録媒体処理装置１１は、図１１の（Ｈ）のデータ説明図に示すように、データ管理装置７に貸出用記録媒体２０を遊技者に返却したことを示す返却情報を送信し（ステップｎ１５）、処理を終了する。
【０１０４】
データ管理装置７では、図１０の（Ｃ）の処理フロー図に示すように、貸出用記録媒体処理装置１１から貸出用記録媒体２０を返却したことを受信すると（ステップｒ１：Ｙｅｓ）、貸出用記録媒体処理装置１１からの返却情報をデータベースに反映（更新）する（ステップｒ２）。
【０１０５】
図７にて説明したステップｎ２で、貯留部に貸出用記録媒体２０がなかった場合には（ステップｎ２：Ｎｏ）、貸出用記録媒体処理装置１１の記憶部に遊技媒体貸出し可能度数等の仮発行処理情報を記憶し（ステップｎ１６）、貸出可能度数表示器１１ｉで遊技媒体貸出し可能度数を表示する（ステップｎ１７）。
【０１０６】
このとき、図１２の（Ｉ）のデータ説明図に示すように、貸出用記録媒体２０を発行せずに貨幣を受け付けたことを示す仮発行処理情報をデータ管理装置７に送信する（ステップｎ１８）。この仮発行処理は、貸出用記録媒体２０を仮想的に発行する処理とも捉えることができる。
【０１０７】
仮発行処理情報は、前述した発行処理情報（図１１の（Ｇ））と同一のデータ項目で構成する。データ内容は、発行処理情報とは一部異なり、シリアルＮｏ．には何も格納せず、仮発行処理用番号にはユニークな番号を格納する。
【０１０８】
このユニークな番号は、貸出用記録媒体処理装置１１の制御部が、貸出用記録媒体処理装置１１の装置番号や貸出用記録媒体処理装置１１のシリアルナンバーに対応して、貨幣が投入される毎に変更して作成する自動生成番号であり、重複しないユニークな番号としている。
【０１０９】
なお、セキュリティを保つことができれば、これ以外の番号を仮発行処理用番号に使用するように構成しても良い。このような仮発行処理用番号は、データの正当性を高く証明することができるものであることが望ましい。  
データ管理装置７では、前述した図１０の（Ａ）の処理を実行する。
【０１１０】
前記ステップｎ１８の次は、図９の処理フロー図に示すように、遊技者によって貸出用記録媒体処理装置１１の貸出ボタン１１ｋが押下されるか（ステップｎ１９）、返却ボタン１１ｊが押下されるまで（ステップｎ２５）待機する。
【０１１１】
遊技者によって貸出用記録媒体処理装置１１の貸出ボタン１１ｋが押下された場合は（ステップｎ１９：Ｙｅｓ）、貸出用記録媒体処理装置１１の記憶部に残遊技媒体貸出し可能度数等を記憶する（ステップｎ２０）。
【０１１２】
貸出用記録媒体処理装置１１は、予め決められた貸し出し単位に対応する数の遊技媒体を払い出し（ステップｎ２１）、貸出可能度数表示器１１ｉに残遊技媒体貸出し可能度数を表示する（ステップｎ２２）。
【０１１３】
貸出用記録媒体処理装置１１は、遊技媒体を払い出したことを示す遊技媒体払出情報をデータ管理装置７に送信する（ステップｎ２３）。このとき送信する遊技媒体払出情報は、図１２の（Ｉ）に示した仮発行処理情報と同一である。  
データ管理装置７では、前述した図１０の（Ｂ）の動作を実行する。
【０１１４】
貸出用記録媒体処理装置１１は、残遊技媒体貸出し可能度数があるかどうかを確認し（ステップｎ２４）、残遊技媒体貸出し可能度数（価値）があれば（ステップｎ２４：Ｙｅｓ）、ステップｎ１９にリターンする。
【０１１５】
貸出用記録媒体２０に残遊技媒体貸出し可能度数（価値）がなければ（ステップｎ２４：Ｎｏ）、処理を終了する。  
前記ステップｎ１９で、遊技者の操作によって貸出ボタン１１ｋが押下されずに（ステップｎ１９：Ｎｏ）、返却ボタンが押された場合（ステップｎ１５：Ｙｅｓ）は、貸出用記録媒体２０が貯留されていないので、貸出用記録媒体処理装置１１は貸出用記録媒体２０の貯留を催促する貯留催促信号をデータ管理装置７に送信する（ステップｎ２６）。
【０１１６】
なお、貸出用記録媒体２０が貯留部（例えば図４の貯留通路１１３）に存在するか否かセンサ等（例えば図４のセンサ１１５）で検知し、検知されなければステップｎ２６を実行する構成としても良い。  
このような構成とした場合は、ステップｎ２：Ｎｏ〜ｎ２６の間で店員によって貸出用記録媒体２０が貯留された場合に、不要な催促を行わなくて済む。
【０１１７】
データ管理装置７では、図１０の（Ｄ）の処理フロー図に示すように、貯留催促信号を受信すると（ステップｓ１：Ｙｅｓ）、図１３の（Ｌ）の画面イメージ図に示すように、貸出用記録媒体処理装置１１の装置番号と貸出用記録媒体２０の貯留を遊技ホールの店員に促す文言を監視画面（ＣＲＴ等の表示部）に表示する（ステップｓ２）。
【０１１８】
この監視画面では、障害等の発生時刻、障害等の発生した貸出用記録媒体処理装置１１の台番号、障害内容、復旧状況を一覧表形式に表示しており、この一覧表の上に重ねて、貸出用記録媒体２０の貯留を至急行わせる文面を表示する。
【０１１９】
貸出用記録媒体処理装置１１は、予め設定したある一定時間ごとに、貯留部に貸出用記録媒体２０が貯留されていないかセンサ１１５（図４）で検知し（ステップｎ２７）、貯留されていなければ（ステップｎ２７：Ｎｏ）、前記ステップｎ２６を繰返し実行して、貯留されていないことをデータ管理装置７に送信する。
【０１２０】
前記ステップｎ２７で、遊技ホールの店員によって貯留部に貸出用記録媒体２０が貯留されたことを検知した場合は（ステップｎ２７：Ｙｅｓ）、貸出用記録媒体処理装置１１はデータ管理装置７に貯留されたことを示す貯留済情報を送信する（ステップｎ２８）。
【０１２１】
データ管理装置７では、図１０の（Ｅ）の処理フロー図に示すように、貸出用記録媒体処理装置１１から貯留部に貸出用記録媒体２０が貯留されたことを受信すると（ステップｕ１：Ｙｅｓ）、図１３の（Ｍ）の画面イメージ図に示すように、貸出用記録媒体２０が貯留されたことを遊技ホールの店員に知らせる文言を、障害画面の復旧状況部分に表示する（ステップｕ２）。
【０１２２】
前記ステップｎ２８の次に、貸出用記録媒体処理装置１１は、仮発行処理での残貸出し度数を、貯留された貸出用記録媒体２０に書き込み発行処理を行う（ステップｎ２９）。
【０１２３】
貸出用記録媒体処理装置１１は、このように発行した貸出用記録媒体２０を遊技者に返却し（ステップｎ３０）、仮発行処理を行ってから貸出用記録媒体２０を返却したことを示す仮発行処理時返却情報をデータ管理装置７に送信し（ステップｎ３１）、処理を終了する。
【０１２４】
この仮発行処理時返却情報は、図１２の（Ｊ）のデータ説明図に示すように、仮発行処理用番号と、新たに貯留された貸出用記録媒体２０のシリアルＮｏ．との両方を格納したデータである。  
データ管理装置７では、前述した図１０の（Ｃ）の処理を実行する。
【０１２５】
以上の動作により、貸出用記録媒体処理装置１１内部の貯留部に貸出用記録媒体２０が貯留されていない場合でも、遊技者は遊技媒体を借りることができる。  
このような場合でも、貯留されている場合と同様にデータ管理装置７へ情報を送信しているため、データ管理装置７は、遠隔地のホストコンピュータ８に仮発行処理した有価価値情報（いわば仮想的に発行した貸出用記録媒体２０の有価価値情報）を送信でき、このように仮発行処理した有価価値情報も第三者のデータセンタによる管理ができる。
【０１２６】
実際の運用では、貸出用記録媒体処理装置１１で貸出用記録媒体２０を発行して返却するよりも、販売機５で貸出用記録媒体２０を発行してこの貸出用記録媒体２０が貸出用記録媒体処理装置１１に投入されることの方が多いため、貯留切れを起こすことは少ない。
【０１２７】
しかし、貯留切れで貸出用記録媒体２０が発行できず遊技できないと、その瞬間の遊技者に与える不満感は大きい。
【０１２８】
このような不満を、上述した遊技媒体貸出管理システム１により、貸出用記録媒体２０が切れていても貨幣投入で遊技媒体を貸し出せるようにすることで解消することができ、遊技者が快適に遊技できる環境を提供できる。
【０１２９】
また、貸出用記録媒体２０を発行せずに遊技媒体を貸し出す仮発行処理は一時的な処理であり、店員による貸出用記録媒体２０の貯留で通常の処理に戻るため、データセンタでの管理に支障が生じない。
【０１３０】
さらに、一時的な処理である仮発行処理でも、仮発行処理用番号によって貸出用記録媒体２０を使用した場合と同程度のセキュリティレベルで管理でき、データセンタで十分な管理ができ、店員による不正等を防止することができる。
【実施例２】
【０１３１】
次に、実施例２として、貯留部に貸出用記録媒体２０がない場合は、受け付ける貨幣を制限するタイプについて説明する。  
ここでは、受け付ける貨幣として１０００円のみを設定した例で説明する。
【０１３２】
システム構成、貸出用記録媒体処理装置１１の構成、貸出用記録媒体２０の構成、及びデータ構成は、上述した実施例１と同様であるので、その詳細な説明を省略する。異なる部分については、次に説明する動作説明の中で適宜説明する。
【０１３３】
図１４の処理フロー図に示すように、まず貸出用記録媒体処理装置１１は、遊技者によって貸出用記録媒体処理装置１１に投入された貨幣を検知する（ステップｗ１）。
【０１３４】
貨幣を検知した場合は（ステップｗ１：Ｙｅｓ）、予め定めた規定の金種としている１０００円であるかを確認し（ステップｗ２）、１０００円でなければ（ステップｗ２：Ｎｏ）、その貨幣を返却して処理を終了する。
【０１３５】
１０００円であれば（ステップｗ２：Ｙｅｓ）、貸出用記録媒体２０に遊技媒体貸出し可能度数を書き込む処理ではない代替の処理を行ない、外見からはあたかも貸出用記録媒体２０を発行したかのように、貸出用記録媒体２０を仮想的に発行する仮発行処理を実行する。
【０１３６】
すなわち、貸出用記録媒体処理装置１１は、貸出可能度数表示器１１ｉに遊技媒体貸出し可能度数を表示し（ステップｗ３）、貯留部に貸出用記録媒体２０が貯留されている場合に行なう処理（前述した図７のステップｎ３）を行わずに、貸出用記録媒体２０を仮発行で処理したことを示す仮発行処理情報（図１２の（Ｉ））をデータ管理装置７に送信する（ステップｗ４）。
【０１３７】
この時、実施例１とは異なり、貯留部に貯留されている場合に送信する貸出用記録媒体２０のシリアルＮｏ．の代わりに、仮発行処理用番号として固定値を送信する。
【０１３８】
この固定値は、貸出用記録媒体処理装置１１の装置番号として貸出用記録媒体処理装置１１毎の固定値とする、あるいは貸出用記録媒体処理装置１１に関わらず１つの固定値とすることができる。
【０１３９】
データ管理装置７は、前述した図１０の（Ａ）の処理を実行する。  
貸出用記録媒体処理装置１１は、貸出用記録媒体処理装置１１に貯留されている場合と同様に、予め決められた遊技媒体数を払い出す（ステップｗ５）。
【０１４０】
貸出用記録媒体処理装置１１は、貯留部に貸出用記録媒体２０が貯留されている場合に行なう処理（図８のステップｎ７）を行わず、貸出可能度数表示器１１ｉに残遊技媒体貸出し可能度数を表示する（ステップｗ６）。
【０１４１】
貸出用記録媒体処理装置１１は、遊技媒体を貸し出したことを示す仮発行処理時返却情報（図１２の（Ｊ））をデータ管理装置７に送信し（ステップｗ７）、処理を終了する。
【０１４２】
この時、貯留部に貯留されている場合に送信する貸出用記録媒体２０のシリアルＮｏ．の代わりに、仮発行処理用番号として固定値を送信する。  
データ管理装置７は、前述した図１０の（Ｂ）の処理を実行する。
【０１４３】
以上の構成により、保留部に貸出用記録媒体２０がなかった場合でも、遊技者は所定金額の貨幣を投入して遊技媒体を借り受けることができる。  
貸出用記録媒体処理装置１１では、１０００円のみを受け付け、１０００円分の遊技媒体を貸し出すため、シリアルＮｏ．のようにセキュリティの高い仮発行処理用番号の管理を行わなくても、セキュリティを保つことができる。
【０１４４】
なお、この実施例２では、１０００円のみ貨幣を受け付けるような処理を説明したが、データ管理装置７にて予め受け入れ可能な貨幣を指定するように構成しても良い。
【０１４５】
この場合は、図１５の画面イメージ図に示すように、データ管理装置７あるいは貸出用記録媒体２０にて、受け付け可能とする金種を、自由な１つ又は複数の金種に店員が設定できる構成とすれば良い。
【０１４６】
これにより、遊技ホールの要求に対応できる自由度の高い遊技媒体貸出管理システム１を提供することができ、遊技ホール経営者の満足度を向上させることができる。
【０１４７】
なお、上記各実施例では、貸出用記録媒体２０で仮発行処理用番号を付与したが、貸出用記録媒体２０がデータ管理端末に問い合わせて、データ管理端末７が仮発行処理用番号を付与する構成としても良い。
【０１４８】
これにより、１台のデータ管理端末７で仮発行処理用番号を管理することができ、複数存在する貸出用記録媒体２０で個別に仮発行処理用番号を付与するよりも、ユニークなＩＤを容易に作成することができる。
【０１４９】
また、図１３の（Ｌ）の画面イメージ図に示したような催促表示は、例えばステップｎ２（図７）でＮｏに進んだ場合に表示する等、適宜のタイミングで行う構成としても良い。これにより、早めに貸出用記録媒体２０を貯留することが可能となり、返却時に遊技者を待たさないようにすることが可能となる。
【０１５０】
また、催促表示のような貯留切れの報知は、データ管理端末に限らず、貸出用記録媒体２０でランプ点灯やアラーム音の発音等にて報知する構成としても良い。  
これにより、遊技ホールを見回っている店員が、貯留切れに気付いて随時貯留することができる。
【０１５１】
また、貸出用記録媒体２０を発行せずに貨幣（現金）で遊技媒体の貸し出しを可能とする仮発行処理について、該仮発行処理を許容する回数又は金額を制限しても良い。この制限は、例えば連続して何回又は何円、あるいは、予め定めた所定期間（例えば１日や３時間等）で何回又は何円等とすることができる。
【０１５２】
これにより、貸出用記録媒体２０を発行しない貨幣からの遊技媒体の貸し出しを、貯留部の貸出用記録媒体２０が切れた一時的な場合に限定することができ、貸出用記録媒体２０切れの状態で延々と使用されることを防止できる。従って、遊技ホールの店員がわざと貸出用記録媒体２０を貯留せずに、貨幣から直接遊技媒体の貸し出しを行う状態を継続するといったことを防止できる。
【０１５３】
この発明の構成と、上述の実施形態との対応において、
この発明の管理装置は、実施形態のデータ管理装置７に対応し、
以下同様に、
貨幣処理部は、貸出用記録媒体処理装置１１の貨幣処理部に対応し、
発行情報送信部は、貸出用記録媒体処理装置１１の通信部に対応し、
記憶部は、貸出用記録媒体処理装置１１の記憶部に対応し、
代用情報付与部は、貸出用記録媒体処理装置１１の制御部に対応し、
遊技媒体貸出部は、遊技媒体払出口１１ｂに対応し、
表示手段は、投入可能金額表示部１１ｍに対応し、
識別情報は、実施例１の貸出用記録媒体２０のシリアルＮｏ．に対応し、
検知部は、センサ１１５に対応し、
代用情報は、仮発行処理用番号に対応し、
代用識別情報は、自動生成番号に対応し、
報知部は、データ管理装置７の表示部に対応し、
発行情報は、発行処理情報及び仮発行処理情報に対応し、
残有価価値は、残遊技媒体貸出し可能度数に対応するも、
この発明は、上述の実施形態の構成のみに限定されるものではなく、多くの実施の形態を得ることができる。
【図面の簡単な説明】
【０１５４】
【図１】遊技媒体貸出管理システムのシステム構成図。
【図２】貸出用記録媒体処理装置の正面図。
【図３】貸出用記録媒体処理装置の部分拡大正面図。
【図４】貸出用記録媒体処理装置の上部に備えたケーシングの左側面断面図。
【図５】ＩＣモジュールブロック図。
【図６】貸出用記録媒体データのデータ説明図。
【図７】貸出用記録媒体処理装置の動作を示す処理フロー図。
【図８】貸出用記録媒体処理装置の動作を示す処理フロー図。
【図９】貸出用記録媒体処理装置の動作を示す処理フロー図。
【図１０】データ管理装置の動作を示す処理フロー図。
【図１１】貸出用記録媒体を発行して処理する場合に送信するデータの説明図。
【図１２】貸出用記録媒体を仮発行で処理する場合に送信するデータの説明図。
【図１３】データ管理装置に表示する画面の説明図。
【図１４】実施例２の貸出用記録媒体処理装置の動作を示す処理フロー図。
【図１５】実施例２のデータ管理装置に表示する画面のイメージ図。
【符号の説明】
【０１５５】
１…遊技媒体貸出管理システム
７…データ管理装置
８…ホストコンピュータ
１１…貸出用記録媒体処理装置
１１ｂ…遊技媒体払出口
２０…貸出用記録媒体
１１５…センサ
【図１】
2011045774.tif 000003
【図２】
2011045774.tif 000004
【図３】
2011045774.tif 000005
【図４】
2011045774.tif 000006
【図５】
2011045774.tif 000007
【図６】
2011045774.tif 000008
【図７】
2011045774.tif 000009
【図８】
2011045774.tif 000010
【図９】
2011045774.tif 000011
【図１０】
2011045774.tif 000012
【図１１】
2011045774.tif 000013
【図１２】
2011045774.tif 000014
【図１３】
2011045774.tif 000015
【図１４】
2011045774.tif 000016
【図１５】
2011045774.tif 000017
【手続補正書】
【提出日】平成22年12月25日(2010.12.25)
【手続補正１】
【補正対象書類名】特許請求の範囲
【補正対象項目名】全文
【補正方法】変更
【補正の内容】
【特許請求の範囲】
【請求項１】
投入された貨幣を処理する貨幣処理部と、
貸出用記録媒体を貯留するとともに前記貨幣に対応する有価価値を付与して該貸出用記録媒体を発行する貸出用記録媒体処理部と、
該貸出用記録媒体処理部で処理する貸出用記録媒体の有価価値に基づいて遊技媒体を貸し出す遊技媒体貸出部と、
前記貸出用記録媒体に付与された識別情報および貸出用記録媒体の発行に関する発行情報を管理装置へ送信する発行情報送信部とを備えた貸出用記録媒体処理装置であって、
前記貸出用記録媒体処理装置は投入許容する金種を表示する表示手段を備え、
前記貸出用記録媒体処理部に発行可能な貸出用記録媒体が貯留されていないときには、前記貨幣処理部へ投入許容する金種を予め定めた規定の金種のみに制限し、
前記貸出用記録媒体処理部は前記識別情報に代わる固有の代用識別情報を作成し、該代用識別情報を前記識別情報の代用情報として付与する代用情報付与部をさらに備え、
前記貨幣処理部に貨幣が投入されたとき、前記貸出用記録媒体処理部に発行可能な貸出用記録媒体が貯留されている場合は、
該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、
前記貨幣処理部に貨幣が投入されたとき、前記貸出用記録媒体処理部に発行可能な貸出用記録媒体が貯留されていない場合は、
前記代用情報付与部が付与した前記代用識別情報を前記発行情報送信部から管理装置へ送信し、投入された貨幣に基づく遊技媒体の貸出を許容する構成としたことを特徴とする
貸出用記録媒体処理装置。
【請求項２】
前記代用識別情報は、前記貨幣が前記貨幣処理部に投入される毎に変更して作成する自動生成番号であることを特徴とする
請求項１記載の貸出用記録媒体処理装置。
【請求項３】
前記代用識別情報を送信して遊技媒体を貸し出した場合に、貸出用記録媒体の貯留が必要であることを報知部で報知する構成とした
請求項１又は２のいずれか１つに記載の貸出用記録媒体処理装置。
【請求項４】
投入された貨幣を処理する貨幣処理部と、貸出用記録媒体を貯留するとともに前記貨幣に対応する有価価値を付与して該貸出用記録媒体を発行する貸出用記録媒体処理部と、前記貸出用記録媒体に付与された識別情報および貸出用記録媒体の発行に関する発行情報を送信する発行情報送信部とを備えた貸出用記録媒体処理装置と、
前記発行情報を受信して前記遊技媒体の貸し出しを管理する管理装置と、
貸し出した前記遊技媒体で遊技させる遊技機とで構成した遊技媒体貸出管理システムであって、
前記貸出用記録媒体処理装置は前記貸出用記録媒体処理部で処理する貸出用記録媒体の有価価値に基づいて遊技媒体を貸し出す命令を前記遊技機へ送信する構成であり、
前記貸出用記録媒体処理装置は投入許容する金種を表示する表示手段を備え、
前記貸出用記録媒体処理部に発行可能な貸出用記録媒体が貯留されていないときには、前記貨幣処理部へ投入許容する金種を予め定めた規定の金種のみに制限し、
前記貸出用記録媒体処理装置は前記識別情報に代わる固有の代用識別情報を作成し、該代用識別情報を前記識別情報の代用情報として付与する代用情報付与部をさらに備え、
前記貨幣処理部に貨幣が投入されたとき、前記貸出用記録媒体処理部に発行可能な貸出用記録媒体が貯留されている場合は、
該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、
前記貨幣処理部に貨幣が投入されたとき、前記貸出用記録媒体処理部に発行可能な貸出用記録媒体が貯留されていなかった場合は、
前記代用情報付与部が付与した前記代用識別情報を前記発行情報送信部から管理装置へ送信し、投入された貨幣に基づく遊技媒体の貸出を許容する構成としたことを特徴とする
遊技媒体貸出管理システム。
【請求項５】
前記管理装置は、
前記貸出用記録媒体の識別情報と有価価値とを関連付けて記憶し、
前記代用識別情報を受信した場合にホストコンピュータへ該代用識別情報を送信する構成とした
請求項４記載の遊技媒体貸出管理システム。
【手続補正２】
【補正対象書類名】明細書
【補正対象項目名】全文
【補正方法】変更
【補正の内容】
【発明の詳細な説明】
【技術分野】
【０００１】
この発明は、例えばパチンコ機やパチスロ機といった遊技機を備えた遊技ホールで貸出用記録媒体を処理するような貸出用記録媒体処理装置、及び遊技媒体を管理するような貸出用記録媒体管理システムに関する。
【背景技術】
【０００２】
従来、多くの遊技ホール（所謂、遊技場）では、遊技者が遊技ホールで投入・使用した金額が明確に管理できるようにする為に、貸出用記録媒体を使用したシステムを導入している（特許文献１参照）。
【０００３】
このシステムでは、貸出用記録媒体処理装置が、貸出用記録媒体を受け付け、その受け付けた貸出用記録媒体の記録情報を読み取り、読み取った有価価値の分だけ遊技者に遊技媒体を貸し出す処理を実行する。
【０００４】
また貸出用記録媒体データベースを有するデータ管理装置を備え、前記貸出用記録媒体の特定情報（ユニークなＩＤ）とその有価価値情報とを対応付けて貸出用記録媒体データベースに登録し、各貸出用記録媒体の有価価値情報を管理する。
【０００５】
また、前記貸出用記録媒体処理装置は貨幣を受け付け、その受け付けた金額を読み取るとともに、その読み取った有価価値に値する貸出用記録媒体を発行し、前記貸出用記録媒体の有価価値情報から特定される有価価値分、遊技者に遊技媒体を貸し出す処理も行なう。
【０００６】
このようなシステムの実現のためには、前記貸出用記録媒体処理装置が貨幣を受け付ける際に、装置内部の貯留部に予め発行用の貸出用記録媒体が貯留されている必要がある。
【０００７】
しかし、遊技客の利用状態や遊技ホールの店員の貯留し忘れなどにより、貯留部に貸出用記録媒体が貯留されていない状態となると、貸出用記録媒体を発行することができないため、貨幣を受け付けることができなくなる。
【０００８】
一方、貸出用記録媒体処理装置は、遊技機と遊技機の間に設置されるという性質上装置の大きさが限定されるので、装置内部の貯留部に貸出用記録媒体を貯留できる貯留数には限界がある。
【０００９】
よって、装置内部の貯留部に貸出用記録媒体が貯留されていない場合が発生し、このような場合には貸出用記録媒体を発行することができず、遊技できる台が限定されてしまう問題が発生する。
【００１０】
【特許文献１】特開２００２−２１０２０７号公報
【発明の開示】
【発明が解決しようとする課題】
【００１１】
本発明は、上述の問題に鑑み、貸出用記録媒体処理装置内部の貯留部に貸出用記録媒体が貯留されていない場合でも、貨幣を受け付けてその有価価値に値する遊技媒体を貸し出すことができ、また、ホール経営者が貸出用記録媒体を使用したシステムの利用を継続できる貸出用記録媒体処理装置及び遊技媒体貸出管理システムを提供し、遊技者とホール経営者の満足度を向上させることを目的とする。
【課題を解決するための手段】
【００１２】
この発明は、投入された貨幣を処理する貨幣処理部と、貸出用記録媒体を貯留するとともに前記貨幣に対応する有価価値を付与して該貸出用記録媒体を発行する貸出用記録媒体処理部と、該貸出用記録媒体処理部で処理する貸出用記録媒体の有価価値に基づいて遊技媒体を貸し出す遊技媒体貸出部と、前記貸出用記録媒体に付与された識別情報および貸出用記録媒体の発行に関する発行情報を管理装置へ送信する発行情報送信部とを備えた貸出用記録媒体処理装置であって、前記貸出用記録媒体処理装置は投入許容する金種を表示する表示手段を備え、
前記貸出用記録媒体処理部に発行可能な貸出用記録媒体が貯留されていないときには、前記貨幣処理部へ投入許容する金種を予め定めた規定の金種のみに制限し、前記貸出用記録媒体処理部は
前記識別情報に代わる固有の代用識別情報を作成し、該代用識別情報を前記識別情報の代用情報として付与する代用情報付与部をさらに備え、前記貨幣処理部に貨幣が投入されたとき、前記貸出用記録媒体処理部に発行可能な貸出用記録媒体が貯留されている場合は、該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、前記貨幣処理部に貨幣が投入されたとき、前記貸出用記録媒体処理部に発行可能な貸出用記録媒体が貯留されていない場合は、前記代用情報付与部が付与した前記代用識別情報を前記発行情報送信部から管理装置へ送信し、投入された貨幣に基づく遊技媒体の貸出を許容する構成とした貸出用記録媒体処理装置であることを特徴とする。
【００１３】
前記遊技媒体は、円盤形状の媒体や球形状の媒体等、遊技に使用する媒体で構成することができる。  
前記貸出用記録媒体は、無線通信手段と記憶手段とを備えた円盤形状や長方形で板状の非接触ＩＣ媒体、記憶手段と接触端子とを備えた接触ＩＣ媒体、又は磁気記憶手段を備えた磁気媒体等、有価価値（価値情報）を記憶可能な媒体で構成することができる。
【００１４】
前記有価価値は、発行金額、発行度数、又は遊技媒体数等、価値に関する情報で構成することができる。  
前記発行情報は、発行した貸出用記録媒体のシリアルナンバー等の識別情報、貸出可能な遊技媒体の数量を示す貸出可能度数、発行日時、発行を行った貸出用記録媒体処理装置の台番号又はシリアルナンバー、又は、これらの複数で構成することができる。
【００１５】
前記代用情報は、別途作成して付与する固有の番号である代用識別情報で構成することができる。  
前記代用識別情報は、ランダムな文字列、適宜定めた規則によって順番に割り与える番号、日付や貸出用記録媒体処理装置に関連して作成するＩＤ、又は、これらに暗号化やチェックサムの付与等の適宜の処理を施した情報等、固有の情報で構成することができる。
【００１６】
前記構成により、貸出用記録媒体処理装置で発行用の貸出用記録媒体が切れていた場合でも、利用者は貨幣の投入によって遊技媒体を借りることができ、遊技者に貸出用記録媒体の貯留を待たせる必要がなく、遊技者にとっての利便性が向上する。
【００１７】
このとき、識別情報の代わりとなる代用情報を定めてこれを管理装置へ送信するため、データセンタにて遊技媒体の貸し出しを適切に管理することが可能となる。
【００１８】
また、遊技ホールの店員にとっては、遊技者に貸出用記録媒体切れで呼び出されて慌てて貯留する必要がなくなり、トラブルを回避できると共に、待ち時間の削減による遊技機の回転率の向上を図ることができる。
【００１９】
さらに、固有の代用識別情報を作成するので、貸出用記録媒体を使用せずに遊技媒体の貸し出しを行った場合でも、遊技者が遊技ホールで投入・使用した金額を明確に把握できる。またこれと共に、貸出用記録媒体を使用した場合と同様のセキュリティレベルを保ち、遊技ホールの店員による不正を防止することができる。  
また、遊技媒体の貸し出しに関する情報を確実にデータセンタへ送信でき、遊技ホールの経営をクリアにすることができる。  
またこの代用識別情報は、前記貨幣が前記貨幣処理部に投入される毎に変更して作成する自動生成番号とすることができる。
【００２０】
さらに、貸出用記録媒体処理装置は投入許容する金種を表示する表示手段を備え、貸出用記録媒体処理部に発行可能な貸出用記録媒体が貯留されていないときには、貨幣処理部へ投入許容する金種を予め定めた規定の金種のみに制限することにより、貸出用記録媒体を使用しないで貨幣から多量に遊技媒体を貸し出すことを防止できる。 
遊技媒体の貸出単位（例えば５００円等）と貨幣処理部へ投入許容する金額とを一致させるように制限した場合には、貨幣から直接遊技媒体を貸し出した後に、残有価価値の返却を行う必要がなく、貸出用記録媒体が切れて残有価価値の返却ができないといった事態を防止できる。 
貨幣処理部へ投入許容する金額の制限は、５００円又は１０００円といったように投入許容する金種を制限することができる。 
またこの発明の態様として、前記代用識別情報を送信して遊技媒体を貸し出した場合に、貸出用記録媒体の貯留が必要であることを報知部で報知する構成とすることができる。  
前記報知部は、貸出用記録媒体処理装置に備えたランプや液晶等の表示装置、スピーカ等の音声装置、又は管理装置等の他の装置へ報知信号を送信する通信部等、報知を行う適宜の手段で構成することができる。  
前記構成により、遊技ホールの係員は貸出用記録媒体の貯留が必要であることを、遊技者を介さずに知ることができ、スムーズに貸出用記録媒体の貯留を行うことができる。
【００２１】
またこの発明は、投入された貨幣を処理する貨幣処理部と、貸出用記録媒体を貯留するとともに前記貨幣に対応する有価価値を付与して該貸出用記録媒体を発行する貸出用記録媒体処理部と、前記貸出用記録媒体に付与された識別情報および貸出用記録媒体の発行に関する発行情報を送信する発行情報送信部とを備えた貸出用記録媒体処理装置と、前記発行情報を受信して前記遊技媒体の貸し出しを管理する管理装置と、貸し出した前記遊技媒体で遊技させる遊技機とで構成した遊技媒体貸出管理システムであって、前記貸出用記録媒体処理装置は前記貸出用記録媒体処理部で処理する貸出用記録媒体の有価価値に基づいて遊技媒体を貸し出す命令を前記遊技機へ送信する構成であり、前記貸出用記録媒体処理装置は投入許容する金種を表示する表示手段を備え、前記貸出用記録媒体処理部に発行可能な貸出用記録媒体が貯留されていないときには、前記貨幣処理部へ投入許容する金種を予め定めた規定の金種のみに制限し、前記貸出用記録媒体処理装置は前記識別情報に代わる固有の代用識別情報を作成し、該代用識別情報を前記識別情報の代用情報として付与する代用情報付与部をさらに備え、前記貨幣処理部に貨幣が投入されたとき、前記貸出用記録媒体処理部に発行可能な貸出用記録媒体が貯留されている場合は、該貸出用記録媒体に付与されている識別情報を前記発行情報に含めて前記発行情報送信部で管理装置へ送信し、発行した貸出用記録媒体の有価価値に基づく前記遊技媒体の貸出を許容する構成とし、前記貨幣処理部に貨幣が投入されたとき、前記貸出用記録媒体処理部に発行可能な貸出用記録媒体が貯留されていなかった場合は、前記代用情報付与部が付与した前記代用識別情報を前記発行情報送信部から管理装置へ送信し、投入された貨幣に基づく遊技媒体の貸出を許容する構成とした遊技媒体貸出管理システムとすることができる。
【００２２】
これにより、発行情報を管理装置で管理することができ、該管理装置と接続しているデータセンタにて、遊技媒体の貸し出しを適切に管理することが可能となる。
【００２３】
さらに、貸出用記録媒体処理装置は投入許容する金種を表示する表示手段を備え、貸出用記録媒体処理部に発行可能な貸出用記録媒体が貯留されていないときには、貨幣処理部へ投入許容する金種を予め定めた規定の金種のみに制限することにより、貸出用記録媒体を使用しないで貨幣から多量に遊技媒体を貸し出すことを防止できる。 
遊技媒体の貸出単位（例えば５００円等）と貨幣処理部へ投入許容する金額とを一致させるように制限した場合には、貨幣から直接遊技媒体を貸し出した後に、残有価価値の返却を行う必要がなく、貸出用記録媒体が切れて残有価価値の返却ができないといった事態を防止できる。 
貨幣処理部へ投入許容する金額の制限は、５００円又は１０００円といったように投入許容する金種を制限することができる。
【００２４】
またこの発明の態様として、前記管理装置は、前記貸出用記録媒体の識別情報と有価価値とを関連付けて記憶し、前記代用識別情報を受信した場合にホストコンピュータへ該代用識別情報を送信する構成とすることができる。
【００２５】
これにより、ホストコンピュータを設置しているデータセンタでは、貸出用記録媒体の管理だけでなく、貨幣から直接貸し出した遊技媒体の管理も確実に行うことができる。
【発明の効果】
【００２６】
この発明により、貸出用記録媒体処理装置内部の貯留部に貸出用記録媒体が貯留されていない場合でも、貨幣を受け付けてその有価価値に値する遊技媒体を貸し出すことができる。
【発明を実施するための最良の形態】
【００２７】
この発明の一実施形態を以下図面と共に説明する。  
【実施例１】
【００２８】
まず、図１に示すシステム構成図と共に、パチンコホールなどの遊技娯楽施設（以下、遊技ホール）に構築される遊技媒体貸出管理システム１のシステム構成について説明する。
【００２９】
遊技媒体貸出管理システム１には、精算機６、データ管理装置７、販売機５、貸出用記録媒体処理装置１１、遊技機１２（パチンコ機１２ａ、パチスロ機１２ｂ）を、通信を中継するハブ（図示省略）を介して通信可能に接続して備えている。またデータ管理装置７には、遠隔地のホストコンピュータ８を通信可能に接続している。
【００３０】
精算機６は、内蔵している記憶部に貸出用記録媒体精算プログラムを格納しており、遊技に使用されず残った貸出用記録媒体２０や、一部遊技に利用して減額されて返却した貸出用記録媒体２０が遊技者によって投入され、該投入された貸出用記録媒体２０を精算する。
【００３１】
データ管理装置７は、内蔵している記憶部に貸出用記録媒体管理プログラム及びマスターデータベースを格納しており、マスターデータベースによって貸出用記録媒体２０の発行状況と使用状況を記憶し、一括管理している。
【００３２】
ホストコンピュータ８は、遠隔地の第三者管理センターに備えており、例えばデータ管理装置７から貸出用記録媒体２０の発行処理情報などを収集するといった処理を実行する。
【００３３】
販売機５は、内蔵している記憶部に貸出用記録媒体処理プログラムを格納しており、貨幣投入による貸出用記録媒体２０の発行を実行する。
【００３４】
貸出用記録媒体処理装置１１は、貸出用記録媒体２０を処理する装置であり、内蔵している記憶部に貸出用記録媒体処理プログラムを格納しており、貨幣投入による貸出用記録媒体２０の発行、貸出用記録媒体２０投入による遊技媒体の払い出し、貸出用記録媒体２０切れの場合の貨幣投入による遊技媒体の払い出しを実行する。
【００３５】
遊技機１２は、パチンコ機又はパチスロ機等の遊技用の装置であり、投入された遊技媒体に基づいてパチンコゲーム又はパチスロゲームといった遊技を許容し、遊技に応じて遊技媒体を払い出す。
【００３６】
以上の構成により、データ管理装置７にて貸出用記録媒体２０の発行状況と使用状況を記憶し管理することができ、貸出用記録媒体２０の発行処理情報などをホストコンピュータ８へ送信することができる。
【００３７】
次に、図２に示す正面図、及び図３に示す部分拡大正面図と共に、前記貸出用記録媒体処理装置１１の外観構成について説明する。ここでは、貸出用記録媒体２０として貸出用記録媒体２０を使用する場合について説明する。
【００３８】
貸出用記録媒体処理装置１１は、正面上方に利用者の操作等を許容する操作盤１１ａを備え、正面下方に遊技媒体を払い出す遊技媒体払出口１１ｂを備えている。
【００３９】
操作盤１１ａには、図３に示すように、左半分上から順に状態表示ランプ１１ｃ、貸出用記録媒体投入口１１ｄ、紙幣投入口１１ｅ、貸出用記録媒体返却口１１ｆ、及びガイド１１ｇを備えている。
【００４０】
また、右半分には、上から順に遊技媒体を貸出可能な貸出可能度数表示器１１ｉ、返却ボタン１１ｊ、貸出ボタン１１ｋ、及び、投入可能金額表示部１１ｍを備えている。
【００４１】
状態表示ランプ１１ｃは、貸出用記録媒体処理装置１１の状態を報知するランプである。  
貸出用記録媒体投入口１１ｄは、貸出用記録媒体２０の投入を受け付ける投入口であり、内部に備えた内部処理機構（図４と共に後述）に繋がっている。
【００４２】
紙幣投入口１１ｅは、紙幣の投入を受け付ける投入口であり、内部に備えた貨幣処理部（図示省略）に繋がっている。  
貸出用記録媒体返却口１１ｆは、貸出用記録媒体２０の返却を行う返却口であり、内部に備えた内部処理機構（図４と共に後述）に繋がっている。
【００４３】
ガイド１１ｇは、貸出用記録媒体２０が落ちないように保持するガイドである。  
貸出可能度数表示器１１ｉは、貸出可能度数を表示するデジタル表示器である。  
返却ボタン１１ｊは、遊技者による返却指示を受け付けるボタンスイッチである。
【００４４】
貸出ボタン１１ｋは、遊技者による遊技媒体の貸出指示を受け付けるボタンスイッチである。  
投入可能金額表示部１１ｍは、投入可能な金額を表示するデジタル表示器である。
【００４５】
以上の構成により、投入可能金額表示部１１ｍで表示している金額内の紙幣が紙幣投入口１１ｅから投入されると、該紙幣の金額に対応する有価価値を記録した貸出用記録媒体２０を内部で発行することができる。
【００４６】
この発行が行われるか、貸出用記録媒体投入口１１ｄに貸出用記録媒体２０が投入されると、貸出可能度数表示器１１ｉに遊技媒体を貸し出し可能な度数を表示することができる。
【００４７】
貸出ボタン１１ｋが押下されると、上記度数の範囲内で貸し出し単位に相当する遊技媒体を、遊技媒体払出口１１ｂから払い出す、あるいは遊技機１２へ払出し命令をして遊技機１２より払い出すことができる。
【００４８】
返却ボタン１１ｊが押下された場合には、残度数を書き込んだ貸出用記録媒体２０を、貸出用記録媒体返却口１１ｆから返却することができる。  
また、状態表示ランプ１１ｃにより、貸出用記録媒体２０切れ等、貸出用記録媒体処理装置１１の状態を報知することができる。
【００４９】
次に、図４に示す左側面断面図（図３のＡＡ断面から見た図）と共に、前記貸出用記録媒体処理装置１１の上部に備えたケーシング１１０の内部処理機構について説明する。なお、ケーシング１１０の正面（図示右側）は、図３に示した操作盤１１ａである。
【００５０】
ケーシング１１０の下方位置には、回転軸１１６ｂを中心に正逆回転するロータ１１６を備えている。該ロータ１１６は、ケーシング１１０内に回転軸１１６ｂにて軸支されており、適宜のギアを介して連結した駆動手段（モータ等）により正逆回転される。
【００５１】
ロータ１１６は、円板の外周面上の１箇所の位置にＵ字型に凹部を備えた形状に形成しており、この凹部が貸出用記録媒体２０を保持するホルダ１１６ａとして機能する。
【００５２】
ロータ１１６の外周の外側には、ロータ１１６がホルダ１１６ａにて貸出用記録媒体２０を保持した状態で回転できるように、円弧状の回転空間１１４を備えている。
【００５３】
ロータ１１６の図示右上方向には、回転空間１１４から貸出用記録媒体投入口１１ｄに連通する投入通路１１７を備えている。これにより、貸出用記録媒体投入口１１ｄから投入された貸出用記録媒体２０を、ロータ１１６へ誘導し、ロータ１１６のホルダ１１６ａで保持することができる。
【００５４】
ロータ１１６の図示左上方向には、回転空間１１４からケーシング１１０の上面に備えた開口部１１１に連通する貯留通路１１３を備えている。これにより、発行可能な貸出用記録媒体２０を貯留通路１１３に貯留しておき、必要に応じて、ロータ１１６を回転させて貯留通路１１３の最下位の貸出用記録媒体２０をホルダ１１６ａで保持し、発行することができる。
【００５５】
また、貸出用記録媒体投入口１１ｄから投入された貸出用記録媒体２０が使い切られた場合には、ロータ１１６を回転させてホルダ１１６ａで保持する貸出用記録媒体２０を貯留通路１１３へ移動させることができる。
【００５６】
このとき、既に貯留通路１１３に貯留されている貸出用記録媒体２０があれば、この貯留されている貸出用記録媒体２０を押し上げる。貸出用記録媒体２０が溢れる場合には、開口部１１１から上方へ押し上げられた貸出用記録媒体２０が、ケーシング１１０の外部へ放り出されることとなる。
【００５７】
また、貯留通路１１３に貸出用記録媒体２０を貯留する場合には、遊技ホールの店員が特定のボタンを操作して貸出用記録媒体投入口１１ｄから貸出用記録媒体２０を投入することができる。
【００５８】
貯留通路１１３と回転空間１１４の連通部近傍には、貯留有無検知手段として機能するセンサ１１５を備えている。これにより、貯留状態の貸出用記録媒体２０が１枚以上存在しているか否か検知できる。
【００５９】
ロータ１１６の図示右下方向には、回転空間１１４から貸出用記録媒体返却口１１ｆに連通する返却通路１１９を備えている。これにより、貸出用記録媒体２０に残有価価値がある状態で返却ボタン１１ｊ（図３）が押下された場合に、ロータ１１６を回転させてホルダ１１６ａで保持する貸出用記録媒体２０を返却通路１１９に移動させ、該返却通路１１９から貸出用記録媒体返却口１１ｆへ返却することができる。
【００６０】
なお、貯留通路１１３、回転空間１１４、投入通路１１７、及び返却通路１１９は、いずれも貸出用記録媒体２０の厚みより少し大きい程度の厚みに形成しており、貸出用記録媒体２０が厚み方向に複数重なることがないようにしている。
【００６１】
以上の構成により、貸出用記録媒体処理装置１１は、貸出用記録媒体２０の投入の受け付け、貸出用記録媒体２０の貯留、貯留されている貸出用記録媒体２０の発行、及び貸出用記録媒体２０の返却を行うことができる。
【００６２】
また、貸出用記録媒体２０として円盤形状のものではなく、長方形の板状のものを使用する場合は、適宜の構成により、貸出用記録媒体２０の投入の受け付け、貸出用記録媒体２０の貯留、貯留されている貸出用記録媒体２０の発行、及び貸出用記録媒体２０の返却を行う構成とすれば良い。
【００６３】
次に、図５に示すブロック図と共に、貸出用記録媒体２０の内部に備えているＩＣモジュールの構成について説明する。  
貸出用記録媒体２０のＩＣモジュールは、ＣＰＵ２１、ＲＯＭ２２、ＲＡＭ２３、ＥＥＰＲＯＭ２４、変復調器２５、電源回路２６、及びアンテナ２７で構成している。
【００６４】
ＣＰＵ２１は、ＲＯＭ２２に格納されたプログラムによって各回路装置を駆動制御する。  
ＲＯＭ２２は、不揮発性でデータの書込みが不可能であり、駆動制御に必要なプログラムを記録する。
【００６５】
ＲＡＭ２３は、揮発性でデータの消去、再書込みが可能であり、動作に必要なデータを記録する。  
ＥＥＰＲＯＭ２４は、不揮発性でデータの消去、再書込みが可能であり、後述する貸出用記録媒体データを格納している。
【００６６】
変復調器２５は、前記アンテナ２７と共に通信手段を構成し、販売機５、精算機６、貸出用記録媒体処理装置１１に備えたそれぞれの貸出用記録媒体処理装置１１の内部処理機構と非接触状態でデータの送受信を実行する。  
電源回路２６は、アンテナ２７に信号を受信した時の起電力により電力を発生し、各回路に供給する。
【００６７】
以上の構成により、貸出用記録媒体２０に対してデータの記録と読出しができる。データの読書きは非接触で可能であるため、例えば磁気カードのように磁気ヘッドまで搬送するといった必要がなく、搬送時間を削減して高速処理を行うことができ、素早い読み込み、書き出しが可能となる。
【００６８】
次に、図６に示すデータ説明図と共に、各貸出用記録媒体２０に格納する貸出用記録媒体データについて説明する。なお、ここでは貸出用記録媒体２０のＥＥＰＲＯＭ２４に格納する貸出用記録媒体データの例で説明する。
【００６９】
貸出用記録媒体データは、シリアルＮｏ．、ホールＮｏ．、遊技媒体貸出し可能度数、発行日付、島Ｎｏ．、貸出用記録媒体処理装置Ｎｏ．、及びＳＵＭの項目で構成する。
【００７０】
シリアルＮｏ．は、貸出用記録媒体２０に固有の情報として付与したユニークな番号を格納する。  
ホールＮｏ．は、遊技ホール毎に付けた番号を格納する。
【００７１】
遊技媒体貸出し可能度数は、遊技媒体の貸出し可能な度数である。  
発行日付は、貸出用記録媒体２０を発行した当日の日付データを格納する。
【００７２】
島Ｎｏ．は、貸出用記録媒体２０を発行した貸出用記録媒体処理装置１１の所属する中継機（図示省略）の番号を格納する。なお、販売機５で発行された貸出用記録媒体２０の場合は、販売機５の所属する中継機（図示省略）の番号を格納する。
【００７３】
貸出用記録媒体処理装置Ｎｏ．は、貸出用記録媒体２０を発行した貸出用記録媒体処理装置１１の番号を格納する。  
ＳＵＭは、データの正誤をチェックするデータチェックサムで構成する。
【００７４】
以上の構成により、貸出用記録媒体２０の管理に必要なデータを、貸出用記録媒体２０内に格納しておくことができる。
【００７５】
次に、図７〜図１０に示す処理フロー図と共に、貸出用記録媒体処理装置１１が貸出用記録媒体管理プログラムに基づいて実行する動作について説明する。
【００７６】
この動作では、従来の貸出用記録媒体２０を使用したシステムであれば、貸出用記録媒体処理装置１１内部の貯留部（例えば貯留通路１１３）に予め発行用の貸出用記録媒体２０が貯留されている必要があったところ、貨幣を受け付ける際に遊技者の利用状態や遊技ホールの店員の貯留し忘れなどにより貯留部に貸出用記録媒体２０が貯留されていない場合でも、貸出用記録媒体２０を仮発行できるようにしている。
【００７７】
貸出用記録媒体処理装置１１は、遊技者によって貸出用記録媒体処理装置１１に投入された貨幣（例えば紙幣）を検知するまで待機する（ステップｎ１）。  
貨幣を検知すると、貯留部に貸出用記録媒体２０が貯留されているかを確認する（ステップｎ２）。
【００７８】
貯留部に貸出用記録媒体２０が貯留されている場合は（ステップｎ２：Ｙｅｓ）、貸出用記録媒体２０に遊技媒体貸出し可能度数等（図６）の発行処理情報を書き込んで発行し（ステップｎ３）、貸出可能度数表示器１１ｉで遊技媒体貸出し可能度数を表示する（ステップｎ４）。
【００７９】
このとき、図１１の（Ｇ）のデータ説明図に示すように、貸出用記録媒体２０を発行したことを示す発行処理情報を、貸出用記録媒体処理装置１１の通信部がデータ管理装置７に送信する（ステップｎ５）。
【００８０】
この発行処理情報は、データ項目としてシリアルＮｏ．、仮発行処理用番号、処理コード、残遊技媒体貸し出し可能度数（金額）、処理日付、貸出用記録媒体処理装置Ｎｏ．、及びＳＵＭを備えている。
【００８１】
発行処理情報は、前述した貸出用記録媒体データ（図６）と同様のデータ項目を一部に含んでおり、異なるデータ項目は次のとおりである。
【００８２】
仮発行処理用番号は、貸出用記録媒体２０を発行せずに貨幣を受け付けて遊技媒体を払い出す場合に使用する項目であり、貯留部に貸出用記録媒体２０が存在する場合には使用しない。
【００８３】
処理コードは、発行、貸出、又は返却といった処理のコードを格納する。  
処理日付は、発行、貸出、又は返却といった処理を実行した日付を格納する。
【００８４】
ステップｎ５の段階では、データ処理としては貸出用記録媒体２０を発行しているが、物理的には、貸出用記録媒体２０の例で図４に図示したように、貸出用記録媒体２０を保持した状態で待機しており、貸出用記録媒体２０の払い出しを行わない。  
これにより、発行した貸出用記録媒体２０を遊技者がすぐに貸出用記録媒体投入口１１ｄへ投入したのと同様の状態にしている。
【００８５】
データ管理装置７では、図１０の（Ａ）の処理フロー図に示すように、貸出用記録媒体処理装置１１から貸出用記録媒体２０を発行したことを受信すると（ステップｐ１：Ｙｅｓ）、貸出用記録媒体処理装置１１からの発行処理情報をデータベースに反映する（ステップｐ２）。
【００８６】
前記ステップｎ５の次は、図８の処理フロー図に示すように、遊技者によって貸出用記録媒体処理装置１１の貸出ボタン１１ｋが押下されるか（ステップｎ６）、返却ボタン１１ｊが押下されるまで（ステップｎ１３）待機する。
【００８７】
遊技者によって貸出用記録媒体処理装置１１の貸出ボタン１１ｋが押下された場合は（ステップｎ６：Ｙｅｓ）、貸出用記録媒体２０に残遊技媒体貸出し可能度数等を書き込む（ステップｎ７）。
【００８８】
貸出用記録媒体処理装置１１は、予め決められた貸し出し単位に対応する数の遊技媒体を払い出し（ステップｎ８）、貸出可能度数表示器１１ｉに残遊技媒体貸出し可能度数を表示する（ステップｎ９）。
【００８９】
貸出用記録媒体処理装置１１は、遊技媒体を払い出したことを示す遊技媒体払出情報をデータ管理装置７に送信する（ステップｎ１０）。このとき送信する遊技媒体払出情報は、図１１の（Ｇ）に示した発行処理情報と同一である。
【００９０】
データ管理装置７では、図１０の（Ｂ）の処理フロー図に示すように、貸出用記録媒体処理装置１１から遊技媒体を払い出したことを受信すると（ステップｑ１：Ｙｅｓ）、貸出用記録媒体処理装置１１からの遊技媒体払出情報をデータベースに反映（更新）する（ステップｑ２）。
【００９１】
図８のステップｎ１０の次に、貸出用記録媒体処理装置１１は、残遊技媒体貸出し可能度数があるかどうかを確認し（ステップｎ１１）、残遊技媒体貸出し可能度数（価値）があれば（ステップｎ１１：Ｙｅｓ）、ステップｎ６にリターンする。
【００９２】
貸出用記録媒体２０に残遊技媒体貸出し可能度数（価値）がなければ（ステップｎ１１：Ｎｏ）貸出用記録媒体２０を貯留部に回収し（ステップｎ１２）、処理を終了する。
【００９３】
前記ステップｎ６で、遊技者の操作によって貸出ボタン１１ｋが押下されずに（ステップｎ６：Ｎｏ）、返却ボタンが押された場合（ステップｎ１３：Ｙｅｓ）は、貸出用記録媒体処理装置１１は貸出用記録媒体２０を遊技者に返却する（ステップｎ１４）。
【００９４】
貸出用記録媒体処理装置１１は、図１１の（Ｈ）のデータ説明図に示すように、データ管理装置７に貸出用記録媒体２０を遊技者に返却したことを示す返却情報を送信し（ステップｎ１５）、処理を終了する。
【００９５】
データ管理装置７では、図１０の（Ｃ）の処理フロー図に示すように、貸出用記録媒体処理装置１１から貸出用記録媒体２０を返却したことを受信すると（ステップｒ１：Ｙｅｓ）、貸出用記録媒体処理装置１１からの返却情報をデータベースに反映（更新）する（ステップｒ２）。
【００９６】
図７にて説明したステップｎ２で、貯留部に貸出用記録媒体２０がなかった場合には（ステップｎ２：Ｎｏ）、貸出用記録媒体処理装置１１の記憶部に遊技媒体貸出し可能度数等の仮発行処理情報を記憶し（ステップｎ１６）、貸出可能度数表示器１１ｉで遊技媒体貸出し可能度数を表示する（ステップｎ１７）。
【００９７】
このとき、図１２の（Ｉ）のデータ説明図に示すように、貸出用記録媒体２０を発行せずに貨幣を受け付けたことを示す仮発行処理情報をデータ管理装置７に送信する（ステップｎ１８）。この仮発行処理は、貸出用記録媒体２０を仮想的に発行する処理とも捉えることができる。
【００９８】
仮発行処理情報は、前述した発行処理情報（図１１の（Ｇ））と同一のデータ項目で構成する。データ内容は、発行処理情報とは一部異なり、シリアルＮｏ．には何も格納せず、仮発行処理用番号にはユニークな番号を格納する。
【００９９】
このユニークな番号は、貸出用記録媒体処理装置１１の制御部が、貸出用記録媒体処理装置１１の装置番号や貸出用記録媒体処理装置１１のシリアルナンバーに対応して、貨幣が投入される毎に変更して作成する自動生成番号であり、重複しないユニークな番号としている。
【０１００】
なお、セキュリティを保つことができれば、これ以外の番号を仮発行処理用番号に使用するように構成しても良い。このような仮発行処理用番号は、データの正当性を高く証明することができるものであることが望ましい。  
データ管理装置７では、前述した図１０の（Ａ）の処理を実行する。
【０１０１】
前記ステップｎ１８の次は、図９の処理フロー図に示すように、遊技者によって貸出用記録媒体処理装置１１の貸出ボタン１１ｋが押下されるか（ステップｎ１９）、返却ボタン１１ｊが押下されるまで（ステップｎ２５）待機する。
【０１０２】
遊技者によって貸出用記録媒体処理装置１１の貸出ボタン１１ｋが押下された場合は（ステップｎ１９：Ｙｅｓ）、貸出用記録媒体処理装置１１の記憶部に残遊技媒体貸出し可能度数等を記憶する（ステップｎ２０）。
【０１０３】
貸出用記録媒体処理装置１１は、予め決められた貸し出し単位に対応する数の遊技媒体を払い出し（ステップｎ２１）、貸出可能度数表示器１１ｉに残遊技媒体貸出し可能度数を表示する（ステップｎ２２）。
【０１０４】
貸出用記録媒体処理装置１１は、遊技媒体を払い出したことを示す遊技媒体払出情報をデータ管理装置７に送信する（ステップｎ２３）。このとき送信する遊技媒体払出情報は、図１２の（Ｉ）に示した仮発行処理情報と同一である。  
データ管理装置７では、前述した図１０の（Ｂ）の動作を実行する。
【０１０５】
貸出用記録媒体処理装置１１は、残遊技媒体貸出し可能度数があるかどうかを確認し（ステップｎ２４）、残遊技媒体貸出し可能度数（価値）があれば（ステップｎ２４：Ｙｅｓ）、ステップｎ１９にリターンする。
【０１０６】
貸出用記録媒体２０に残遊技媒体貸出し可能度数（価値）がなければ（ステップｎ２４：Ｎｏ）、処理を終了する。  
前記ステップｎ１９で、遊技者の操作によって貸出ボタン１１ｋが押下されずに（ステップｎ１９：Ｎｏ）、返却ボタンが押された場合（ステップｎ１５：Ｙｅｓ）は、貸出用記録媒体２０が貯留されていないので、貸出用記録媒体処理装置１１は貸出用記録媒体２０の貯留を催促する貯留催促信号をデータ管理装置７に送信する（ステップｎ２６）。
【０１０７】
なお、貸出用記録媒体２０が貯留部（例えば図４の貯留通路１１３）に存在するか否かセンサ等（例えば図４のセンサ１１５）で検知し、検知されなければステップｎ２６を実行する構成としても良い。  
このような構成とした場合は、ステップｎ２：Ｎｏ〜ｎ２６の間で店員によって貸出用記録媒体２０が貯留された場合に、不要な催促を行わなくて済む。
【０１０８】
データ管理装置７では、図１０の（Ｄ）の処理フロー図に示すように、貯留催促信号を受信すると（ステップｓ１：Ｙｅｓ）、図１３の（Ｌ）の画面イメージ図に示すように、貸出用記録媒体処理装置１１の装置番号と貸出用記録媒体２０の貯留を遊技ホールの店員に促す文言を監視画面（ＣＲＴ等の表示部）に表示する（ステップｓ２）。
【０１０９】
この監視画面では、障害等の発生時刻、障害等の発生した貸出用記録媒体処理装置１１の台番号、障害内容、復旧状況を一覧表形式に表示しており、この一覧表の上に重ねて、貸出用記録媒体２０の貯留を至急行わせる文面を表示する。
【０１１０】
貸出用記録媒体処理装置１１は、予め設定したある一定時間ごとに、貯留部に貸出用記録媒体２０が貯留されていないかセンサ１１５（図４）で検知し（ステップｎ２７）、貯留されていなければ（ステップｎ２７：Ｎｏ）、前記ステップｎ２６を繰返し実行して、貯留されていないことをデータ管理装置７に送信する。
【０１１１】
前記ステップｎ２７で、遊技ホールの店員によって貯留部に貸出用記録媒体２０が貯留されたことを検知した場合は（ステップｎ２７：Ｙｅｓ）、貸出用記録媒体処理装置１１はデータ管理装置７に貯留されたことを示す貯留済情報を送信する（ステップｎ２８）。
【０１１２】
データ管理装置７では、図１０の（Ｅ）の処理フロー図に示すように、貸出用記録媒体処理装置１１から貯留部に貸出用記録媒体２０が貯留されたことを受信すると（ステップｕ１：Ｙｅｓ）、図１３の（Ｍ）の画面イメージ図に示すように、貸出用記録媒体２０が貯留されたことを遊技ホールの店員に知らせる文言を、障害画面の復旧状況部分に表示する（ステップｕ２）。
【０１１３】
前記ステップｎ２８の次に、貸出用記録媒体処理装置１１は、仮発行処理での残貸出し度数を、貯留された貸出用記録媒体２０に書き込み発行処理を行う（ステップｎ２９）。
【０１１４】
貸出用記録媒体処理装置１１は、このように発行した貸出用記録媒体２０を遊技者に返却し（ステップｎ３０）、仮発行処理を行ってから貸出用記録媒体２０を返却したことを示す仮発行処理時返却情報をデータ管理装置７に送信し（ステップｎ３１）、処理を終了する。
【０１１５】
この仮発行処理時返却情報は、図１２の（Ｊ）のデータ説明図に示すように、仮発行処理用番号と、新たに貯留された貸出用記録媒体２０のシリアルＮｏ．との両方を格納したデータである。  
データ管理装置７では、前述した図１０の（Ｃ）の処理を実行する。
【０１１６】
以上の動作により、貸出用記録媒体処理装置１１内部の貯留部に貸出用記録媒体２０が貯留されていない場合でも、遊技者は遊技媒体を借りることができる。  
このような場合でも、貯留されている場合と同様にデータ管理装置７へ情報を送信しているため、データ管理装置７は、遠隔地のホストコンピュータ８に仮発行処理した有価価値情報（いわば仮想的に発行した貸出用記録媒体２０の有価価値情報）を送信でき、このように仮発行処理した有価価値情報も第三者のデータセンタによる管理ができる。
【０１１７】
実際の運用では、貸出用記録媒体処理装置１１で貸出用記録媒体２０を発行して返却するよりも、販売機５で貸出用記録媒体２０を発行してこの貸出用記録媒体２０が貸出用記録媒体処理装置１１に投入されることの方が多いため、貯留切れを起こすことは少ない。
【０１１８】
しかし、貯留切れで貸出用記録媒体２０が発行できず遊技できないと、その瞬間の遊技者に与える不満感は大きい。
【０１１９】
このような不満を、上述した遊技媒体貸出管理システム１により、貸出用記録媒体２０が切れていても貨幣投入で遊技媒体を貸し出せるようにすることで解消することができ、遊技者が快適に遊技できる環境を提供できる。
【０１２０】
また、貸出用記録媒体２０を発行せずに遊技媒体を貸し出す仮発行処理は一時的な処理であり、店員による貸出用記録媒体２０の貯留で通常の処理に戻るため、データセンタでの管理に支障が生じない。
【０１２１】
さらに、一時的な処理である仮発行処理でも、仮発行処理用番号によって貸出用記録媒体２０を使用した場合と同程度のセキュリティレベルで管理でき、データセンタで十分な管理ができ、店員による不正等を防止することができる。
【実施例２】
【０１２２】
次に、実施例２として、貯留部に貸出用記録媒体２０がない場合は、受け付ける貨幣を制限するタイプについて説明する。  
ここでは、受け付ける貨幣として１０００円のみを設定した例で説明する。
【０１２３】
システム構成、貸出用記録媒体処理装置１１の構成、貸出用記録媒体２０の構成、及びデータ構成は、上述した実施例１と同様であるので、その詳細な説明を省略する。異なる部分については、次に説明する動作説明の中で適宜説明する。
【０１２４】
図１４の処理フロー図に示すように、まず貸出用記録媒体処理装置１１は、遊技者によって貸出用記録媒体処理装置１１に投入された貨幣を検知する（ステップｗ１）。
【０１２５】
貨幣を検知した場合は（ステップｗ１：Ｙｅｓ）、予め定めた規定の金種としている１０００円であるかを確認し（ステップｗ２）、１０００円でなければ（ステップｗ２：Ｎｏ）、その貨幣を返却して処理を終了する。
【０１２６】
１０００円であれば（ステップｗ２：Ｙｅｓ）、貸出用記録媒体２０に遊技媒体貸出し可能度数を書き込む処理ではない代替の処理を行ない、外見からはあたかも貸出用記録媒体２０を発行したかのように、貸出用記録媒体２０を仮想的に発行する仮発行処理を実行する。
【０１２７】
すなわち、貸出用記録媒体処理装置１１は、貸出可能度数表示器１１ｉに遊技媒体貸出し可能度数を表示し（ステップｗ３）、貯留部に貸出用記録媒体２０が貯留されている場合に行なう処理（前述した図７のステップｎ３）を行わずに、貸出用記録媒体２０を仮発行で処理したことを示す仮発行処理情報（図１２の（Ｉ））をデータ管理装置７に送信する（ステップｗ４）。
【０１２８】
この時、実施例１とは異なり、貯留部に貯留されている場合に送信する貸出用記録媒体２０のシリアルＮｏ．の代わりに、仮発行処理用番号として固定値を送信する。
【０１２９】
この固定値は、貸出用記録媒体処理装置１１の装置番号として貸出用記録媒体処理装置１１毎の固定値とする、あるいは貸出用記録媒体処理装置１１に関わらず１つの固定値とすることができる。
【０１３０】
データ管理装置７は、前述した図１０の（Ａ）の処理を実行する。  
貸出用記録媒体処理装置１１は、貸出用記録媒体処理装置１１に貯留されている場合と同様に、予め決められた遊技媒体数を払い出す（ステップｗ５）。
【０１３１】
貸出用記録媒体処理装置１１は、貯留部に貸出用記録媒体２０が貯留されている場合に行なう処理（図８のステップｎ７）を行わず、貸出可能度数表示器１１ｉに残遊技媒体貸出し可能度数を表示する（ステップｗ６）。
【０１３２】
貸出用記録媒体処理装置１１は、遊技媒体を貸し出したことを示す仮発行処理時返却情報（図１２の（Ｊ））をデータ管理装置７に送信し（ステップｗ７）、処理を終了する。
【０１３３】
この時、貯留部に貯留されている場合に送信する貸出用記録媒体２０のシリアルＮｏ．の代わりに、仮発行処理用番号として固定値を送信する。  
データ管理装置７は、前述した図１０の（Ｂ）の処理を実行する。
【０１３４】
以上の構成により、保留部に貸出用記録媒体２０がなかった場合でも、遊技者は所定金額の貨幣を投入して遊技媒体を借り受けることができる。  
貸出用記録媒体処理装置１１では、１０００円のみを受け付け、１０００円分の遊技媒体を貸し出すため、シリアルＮｏ．のようにセキュリティの高い仮発行処理用番号の管理を行わなくても、セキュリティを保つことができる。
【０１３５】
なお、この実施例２では、１０００円のみ貨幣を受け付けるような処理を説明したが、データ管理装置７にて予め受け入れ可能な貨幣を指定するように構成しても良い。
【０１３６】
この場合は、図１５の画面イメージ図に示すように、データ管理装置７あるいは貸出用記録媒体２０にて、受け付け可能とする金種を、自由な１つ又は複数の金種に店員が設定できる構成とすれば良い。
【０１３７】
これにより、遊技ホールの要求に対応できる自由度の高い遊技媒体貸出管理システム１を提供することができ、遊技ホール経営者の満足度を向上させることができる。
【０１３８】
なお、上記各実施例では、貸出用記録媒体２０で仮発行処理用番号を付与したが、貸出用記録媒体２０がデータ管理端末に問い合わせて、データ管理端末７が仮発行処理用番号を付与する構成としても良い。
【０１３９】
これにより、１台のデータ管理端末７で仮発行処理用番号を管理することができ、複数存在する貸出用記録媒体２０で個別に仮発行処理用番号を付与するよりも、ユニークなＩＤを容易に作成することができる。
【０１４０】
また、図１３の（Ｌ）の画面イメージ図に示したような催促表示は、例えばステップｎ２（図７）でＮｏに進んだ場合に表示する等、適宜のタイミングで行う構成としても良い。これにより、早めに貸出用記録媒体２０を貯留することが可能となり、返却時に遊技者を待たさないようにすることが可能となる。
【０１４１】
また、催促表示のような貯留切れの報知は、データ管理端末に限らず、貸出用記録媒体２０でランプ点灯やアラーム音の発音等にて報知する構成としても良い。  
これにより、遊技ホールを見回っている店員が、貯留切れに気付いて随時貯留することができる。
【０１４２】
また、貸出用記録媒体２０を発行せずに貨幣（現金）で遊技媒体の貸し出しを可能とする仮発行処理について、該仮発行処理を許容する回数又は金額を制限しても良い。この制限は、例えば連続して何回又は何円、あるいは、予め定めた所定期間（例えば１日や３時間等）で何回又は何円等とすることができる。
【０１４３】
これにより、貸出用記録媒体２０を発行しない貨幣からの遊技媒体の貸し出しを、貯留部の貸出用記録媒体２０が切れた一時的な場合に限定することができ、貸出用記録媒体２０切れの状態で延々と使用されることを防止できる。従って、遊技ホールの店員がわざと貸出用記録媒体２０を貯留せずに、貨幣から直接遊技媒体の貸し出しを行う状態を継続するといったことを防止できる。
【０１４４】
この発明の構成と、上述の実施形態との対応において、
この発明の管理装置は、実施形態のデータ管理装置７に対応し、
以下同様に、
貨幣処理部は、貸出用記録媒体処理装置１１の貨幣処理部に対応し、
発行情報送信部は、貸出用記録媒体処理装置１１の通信部に対応し、
記憶部は、貸出用記録媒体処理装置１１の記憶部に対応し、
代用情報付与部は、貸出用記録媒体処理装置１１の制御部に対応し、
遊技媒体貸出部は、遊技媒体払出口１１ｂに対応し、
表示手段は、投入可能金額表示部１１ｍに対応し、
識別情報は、実施例１の貸出用記録媒体２０のシリアルＮｏ．に対応し、
代用情報は、仮発行処理用番号に対応し、
代用識別情報は、自動生成番号に対応し、
報知部は、データ管理装置７の表示部に対応し、
発行情報は、発行処理情報及び仮発行処理情報に対応するも、
この発明は、上述の実施形態の構成のみに限定されるものではなく、多くの実施の形態を得ることができる。
【図面の簡単な説明】
【０１４５】
【図１】遊技媒体貸出管理システムのシステム構成図。
【図２】貸出用記録媒体処理装置の正面図。
【図３】貸出用記録媒体処理装置の部分拡大正面図。
【図４】貸出用記録媒体処理装置の上部に備えたケーシングの左側面断面図。
【図５】ＩＣモジュールブロック図。
【図６】貸出用記録媒体データのデータ説明図。
【図７】貸出用記録媒体処理装置の動作を示す処理フロー図。
【図８】貸出用記録媒体処理装置の動作を示す処理フロー図。
【図９】貸出用記録媒体処理装置の動作を示す処理フロー図。
【図１０】データ管理装置の動作を示す処理フロー図。
【図１１】貸出用記録媒体を発行して処理する場合に送信するデータの説明図。
【図１２】貸出用記録媒体を仮発行で処理する場合に送信するデータの説明図。
【図１３】データ管理装置に表示する画面の説明図。
【図１４】実施例２の貸出用記録媒体処理装置の動作を示す処理フロー図。
【図１５】実施例２のデータ管理装置に表示する画面のイメージ図。
【符号の説明】
【０１４６】
１…遊技媒体貸出管理システム
７…データ管理装置
８…ホストコンピュータ
１１…貸出用記録媒体処理装置
１１ｂ…遊技媒体払出口
２０…貸出用記録媒体
１１５…センサ